(57)【要約】【課題】画質の向上を適切に行う。【解決手段】表示装置１０は、複数の画素４８が行列状に配置された画像表示パネル４０と、画像表示パネル４０に出力信号を出力して画像を表示させる制御部２０と、を有し、制御部２０は、一部のデータが画素４８に所定の色を表示させるための入力信号値の情報を有する入力信号データであり、他の一部のデータが表示制御コードである制御入力信号が含まれる補正入力信号を取得する入力信号取得部と、表示制御コードに基づき、入力信号データを処理して出力信号の出力信号値を生成するための処理内容を決定する処理内容決定部と、処理内容決定部が決定した処理内容と、入力信号データとに基づき出力信号を生成する出力信号生成部と、を有する。【選択図】図１
2017044970.tif 000002
【特許請求の範囲】
【請求項１】
複数の画素が行列状に配置された画像表示パネルと、
前記画像表示パネルに出力信号を出力して画像を表示させる制御部と、を有し、
前記制御部は、
一部のデータが前記画素に所定の色を表示させるための入力信号値の情報を有する入力信号データであり、他の一部のデータが表示制御コードである制御入力信号が含まれる補正入力信号を取得する入力信号取得部と、
前記表示制御コードに基づき、前記入力信号データを処理して前記出力信号の出力信号値を生成するための処理内容を決定する処理内容決定部と、
前記処理内容決定部が決定した処理内容と、前記入力信号データとに基づき出力信号を生成する出力信号生成部と、を有する、表示装置。
【請求項２】
前記入力信号取得部は、通常モードである場合に、前記入力信号データを有し前記表示制御コードを有さない通常入力信号を取得して、補正モードである場合に、前記補正入力信号を取得し、
前記通常モードである場合、
前記出力信号生成部は、前記通常入力信号に基づき出力信号を生成し、
前記補正モードである場合、
前記処理決定部は、前記表示制御コードに基づき前記処理内容を決定し、
前記出力信号生成部は、前記処理決定部が決定した処理内容と、前記入力信号データとに基づき出力信号を生成する、請求項１に記載の表示装置。
【請求項３】
前記処理決定部は、前記表示制御コードに基づき、予め設定された複数の処理内容から前記処理内容を選択する、請求項１又は請求項２に記載の表示装置。
【請求項４】
前記画像表示パネル中の一部の画素に対しての前記補正入力信号は、前記制御入力信号であり、他の一部の画素に対しての前記補正入力信号は、前記他の一部の画素に対する前記入力信号データのみからなる画素入力信号である、請求項１から請求項３のいずれか１項に記載の表示装置。
【請求項５】
前記処理決定部は、複数の前記表示制御コードに基づいて、前記画像表示パネルの画像表示領域を複数の領域に区分した場合の各領域の位置情報と、前記処理内容を前記領域毎に指定する領域処理情報とを抽出し、前記位置情報と前記領域処理情報とに基づき、前記領域毎に前記処理内容を決定する、請求項４に記載の表示装置。
【請求項６】
前記画像表示パネル中の全画素に対しての前記補正入力信号は、前記制御入力信号であり、
前記表示制御コードは、対応する画素の前記処理内容を指定する画素処理情報を有し、
前記処理決定部は、前記画素処理情報に基づき、画素毎に前記処理内容を割り当てる、請求項３に記載の表示装置。
【請求項７】
前記制御入力信号は、前記通常入力信号の一部の前記入力信号データを、前記表示制御コードに変換したものである、請求項１から請求項６のいずれか１項に記載の表示装置。
【請求項８】
前記画素毎の前記入力信号データは、前記画素に第１色を表示させるための入力信号値を有する複数ビット数のデータである第１入力信号データと、前記画素に第２色を表示させるための入力信号値を有する複数ビット数のデータである第２入力信号データと、前記画素に第３色を表示させるための入力信号値を有する複数ビット数のデータである第３入力信号データとをそれぞれ有し、
前記制御入力信号は、前記第１入力信号データ、前記第２入力信号データ、及び前記第３入力信号データの少なくともいずれかの一部のビット数のデータを、前記表示制御コードに変換したものである、請求項７に記載の表示装置。
【請求項９】
前記制御入力信号は、前記第１入力信号データの最下位ビットのデータ、前記第２入力信号データの最下位ビットのデータ、又は前記第３入力信号データの最下位ビットのデータのうち少なくともいずれかを、前記表示制御コードに変換したものである、請求項８に記載の表示装置。
【請求項１０】
前記制御入力信号は、前記第３入力信号データの最下位ビットのデータを、前記表示制御コードに変換したものである、請求項９に記載の表示装置。
【請求項１１】
前記第３色は、青色である、請求項１０に記載の表示装置。
【請求項１２】
請求項１から請求項１１のいずれか１項に記載の表示装置と、
前記表示装置に前記補正入力信号を出力する入力信号出力部と、を有する電子機器。
【請求項１３】
前記入力信号出力部は、前記画像表示パネルの全画素に対する入力信号値の情報を有する入力信号データのみからなる通常入力信号を前記制御入力信号に変換する、請求項１２に記載の電子機器。
【発明の詳細な説明】
【技術分野】
【０００１】
本開示は、表示装置及び電子機器に関する。
【背景技術】
【０００２】
近年、携帯電話及び電子ペーパー等のモバイル電子機器向け等の表示装置の需要が高くなっている。表示装置では、１つの画素が複数の副画素を備え、当該複数の副画素がそれぞれ異なる色の光を出力し、当該副画素の表示のオン及びオフを切り換えることで、１つの画素で種々の色を表示させている。このような表示装置は、解像度及び輝度といった表示特性も年々向上してきている。しかし、解像度が高くなるにしたがって開口率が低下してくるため、高輝度を達成しようとした場合、バックライトの輝度を高くする必要があり、バックライトの消費電力が増大するという問題がある。
【０００３】
これを改善するため、従来の赤、緑、青の副画素に第４の副画素である白画素を加える技術がある（例えば、特許文献１）。この技術は、白画素が輝度を向上させる分、消費電力を低減したり、画質を向上させたりすることができる。
【０００４】
一方、表示する画像によっては、白画素を作動させるなどの画像変換処理を行う方が、消費電力を増加させたり、画質が向上しなかったりする場合がある。従って、このような場合、画像の種類によって画像変換処理を行うかを選択することが望ましい。また、電子機器中の表示装置に所定の画像を表示させる場合、例えば背景画像とその所定の画像など、１つの画面中に異なる画像が表示される場合がある。このような場合、異なる画像毎に画像変換処理を行うかを選択することが望ましい。
【先行技術文献】
【特許文献】
【０００５】
【特許文献１】特開２０１１−１５４３２３号公報
【発明の概要】
【発明が解決しようとする課題】
【０００６】
ここで、電子機器中の表示装置に画像を表示させる場合、一般的に、電子機器を作動させるためのＯＳ（Ｏｐｅｒａｔｉｎｇ  Ｓｙｓｔｅｍ）が、画像を表示させるためのアプリケーション等からの指令に基づき、画像を表示させるための指令及び画像変換処理の指令を、表示装置の制御回路に出す。画像を表示させるためのアプリケーションは、画像のデータに基づきその画像に画像変換処理を行うかを判断することが可能である。一方、画像を表示させるための指令と画像変換処理の指令とを表示装置に出すタイミングは、アプリケーションではなく、ＯＳと表示装置とに依存する。従って、ＯＳによって表示装置に指令を送る場合、どの画像に画像処理を行うかを判断しつつ、画像を表示させるための指令と画像変換処理の指令とを表示装置に出すタイミングを同期させることが困難となっている。このような場合、例えば複数の画像に適切な画像変換処理を行うことができなくなるおそれがあり、消費電力の削減、又は画質の向上を適切に行うことができないおそれがある。
【０００７】
本発明は、上記課題を解決するために、消費電力の削減、又は画質の向上を適切に行う表示装置及び電子機器を提供することを目的とする。
【課題を解決するための手段】
【０００８】
本発明の表示装置は、複数の画素が行列状に配置された画像表示パネルと、前記画像表示パネルに出力信号を出力して画像を表示させる制御部と、を有し、前記制御部は、一部のデータが前記画素に所定の色を表示させるための入力信号値の情報を有する入力信号データであり、他の一部のデータが表示制御コードである制御入力信号が含まれる補正入力信号を取得する入力信号取得部と、前記表示制御コードに基づき、前記入力信号データを処理して前記出力信号の出力信号値を生成するための処理内容を決定する処理内容決定部と、前記処理内容決定部が決定した処理内容と、前記入力信号データとに基づき出力信号を生成する出力信号生成部と、を有する。
【図面の簡単な説明】
【０００９】
【図１】図１は、第１実施形態に係る表示装置の構成の一例を示すブロック図である。
【図２】図２は、第１実施形態に係る画像表示パネルの画素が含む副画素の点灯駆動回路を示す図である。
【図３】図３は、第１実施形態に係る画像表示パネルの副画素の配列を示す図である。
【図４】図４は、第１実施形態に係る画像表示パネルの断面構造を示す図である。
【図５】図５は、第１実施形態に係る画像表示パネルの副画素の他の配列を示す図である。
【図６】図６は、第１実施形態に係る入力信号出力部の構成を模式的に説明するブロック図である。
【図７】図７は、入力信号データ及び通常入力信号を説明するための説明図である。
【図８】図８は、表示制御データを説明する図である。
【図９】図９は、入力信号の生成を説明するための説明図である。
【図１０】図１０は、入力信号の生成を説明するための説明図である。
【図１１】図１１は、制御入力信号を説明するための説明図である。
【図１２】図１２は、制御部の構成を模式的に示すブロック図である。
【図１３】図１３は、異なる領域での処理の決定方法を説明するための説明図である。
【図１４】図１４は、第１実施形態の表示装置で再現可能な再現ＨＳＶ色空間の概念図である。
【図１５】図１５は、再現ＨＳＶ色空間の色相と彩度との関係を示す概念図である。
【図１６】図１６は、第１処理における彩度と伸長係数との関係を示すグラフである。
【図１７】図１７は、第１実施形態における制御部の処理を説明するためのフローチャートである。
【図１８】図１８は、補正モードにおける処理を行った場合の画像の一例を説明する説明図である。
【図１９】図１９は、第２実施形態に係る入力信号出力部の構成を模式的に説明するブロック図である。
【図２０】図２０は、第２実施形態に係る制御部の構成を模式的に示すブロック図である。
【図２１】図２１は、異なる領域での処理の決定方法を説明するための説明図である。
【図２２】図２２は、変形例に係る表示装置の構成の一例を示すブロック図である。
【図２３】図２３は、変形例に係る画像表示パネルの概念図である。
【図２４】図２４は、第１実施形態に係る表示装置を適用する電子機器の一例を示す図である。
【図２５】図２５は、第１実施形態に係る表示装置を適用する電子機器の一例を示す図である。
【発明を実施するための形態】
【００１０】
以下に、本発明の実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１１】
（第１実施形態）
図１は、第１実施形態に係る表示装置の構成の一例を示すブロック図である。図１に示すように、第１実施形態の表示装置１０は、制御部２０と、画像表示パネル駆動部３０と、画像表示パネル４０とを有する。制御部２０は、入力信号出力部１００からの入力信号が入力され、入力信号に所定のデータ処理を加えて生成した信号を表示装置１０の各部に送る。画像表示パネル駆動部３０は、制御部２０からの信号に基づいて画像表示パネル４０の駆動を制御する。画像表示パネル４０は、画像表示パネル駆動部３０からの信号に基づいて画素の自発光体を点灯させて画像を表示する自発光型の画像表示パネルである。なお、表示装置１０と入力信号出力部１００とは、第１実施形態に係る電子機器１を構成する。
【００１２】
（画像表示パネルの構成）
最初に、画像表示パネル４０の構成について説明する。図２は、第１実施形態に係る画像表示パネルの画素が含む副画素の点灯駆動回路を示す図である。図３は、第１実施形態に係る画像表示パネルの副画素の配列を示す図である。図４は、第１実施形態に係る画像表示パネルの断面構造を示す図である。図１に示すように、画像表示パネル４０は、画素４８が、Ｐ０×Ｑ０個（行方向にＰ０個、列方向にＱ０個）、２次元のマトリクス状（行列状）に配列されている。
【００１３】
画素４８は、複数の副画素４９を含み、図２に示す副画素４９の点灯駆動回路が２次元のマトリクス状（行列状）に配列されている。図２に示すように、点灯駆動回路は、制御用トランジスタＴｒ１と、駆動用トランジスタＴｒ２と、電荷保持用コンデンサＣ１とを含む。制御用トランジスタＴｒ１のゲートが走査線ＳＣＬに接続され、ソースが信号線ＤＴＬに接続され、ドレインが駆動用トランジスタＴｒ２のゲートに接続されている。電荷保持用コンデンサＣ１の一端が駆動用トランジスタＴｒ２のゲートに接続され、他端が駆動用トランジスタＴｒ２のソースに接続されている。駆動用トランジスタＴｒ２のソースが、電源線ＰＣＬと接続されており、駆動用トランジスタＴｒ２のドレインが、自発光体である有機発光ダイオードＥ１のアノードに接続されている。有機発光ダイオードＥ１のカソードは、例えば基準電位（例えばアース）に接続されている。なお図２では制御用トランジスタＴｒ１がｎチャネル型トランジスタ、駆動用トランジスタＴｒ２がｐチャネル型トランジスタの例を示しているが、それぞれのトランジスタの極性はこれに限定されない。必要に応じて、制御用トランジスタＴｒ１及び駆動用トランジスタＴｒ２それぞれの極性を決めればよい。
【００１４】
画素４８は、図３に示すように、第１副画素４９Ｒと、第２副画素４９Ｇと、第３副画素４９Ｂと、第４副画素４９Ｗとを有する。第１副画素４９Ｒは、第１色としての原色の赤色を表示する。第２副画素４９Ｇは、第２色としての原色の緑色を表示する。第３副画素４９Ｂは、第３色としての原色の青色を表示する。第４副画素４９Ｗは、第１色、第２色及び第３色とは異なる第４色としての白色を表示する。ただし、第１色、第２色、第３色、第４色は、それぞれ赤色、緑色、青色、白色に限られず、補色などの任意の色を選択することができる。以下において、第１副画素４９Ｒと、第２副画素４９Ｇと、第３副画素４９Ｂと、第４副画素４９Ｗとをそれぞれ区別する必要がない場合、副画素４９という。
【００１５】
図４に示すように、画像表示パネル４０は、基板５１と、絶縁層５２、５３と、反射層５４と、下部電極５５と、自発光層５６と、上部電極５７と、絶縁層５８と、絶縁層５９と、色変換層としてのカラーフィルタ６１と、遮光層としてのブラックマトリクス６２と、基板５０とを備えている。基板５１は、シリコンなどの半導体基板、ガラス基板、樹脂基板などであって、上述した点灯駆動回路などを形成又は保持している。絶縁層５２は、上述した点灯駆動回路などを保護する保護膜であり、シリコン酸化物、シリコン窒化物などを用いることができる。下部電極５５は、第１副画素４９Ｒと、第２副画素４９Ｇと、第３副画素４９Ｂと、第４副画素４９Ｗとにそれぞれ設けられており、上述した有機発光ダイオードＥ１のアノード（陽極）となる導電体である。下部電極５５は、インジウム錫酸化物（Indium  Tin  Oxide：ＩＴＯ）等の透光性導電材料（透光性導電酸化物）で形成される透光性電極である。絶縁層５３は、バンクと呼ばれ、第１副画素４９Ｒと、第２副画素４９Ｇと、第３副画素４９Ｂと、第４副画素４９Ｗとを区画する絶縁層である。反射層５４は、自発光層５６からの光を反射する金属光沢のある材料、例えば銀、アルミニウム、金などで形成されている。自発光層５６は、有機材料を含み、不図示のホール注入層、ホール輸送層、発光層、電子輸送層、電子注入層を含む。
【００１６】
（ホール輸送層）
正孔を発生する層としては、例えば、芳香族アミン化合物と、その化合物に対して電子受容性を示す物質とを含む層を用いることが好ましい。ここで、芳香族アミン化合物とは、アリールアミン骨格を有する物質である。芳香族アミン化合物の中でも特に、トリフェニルアミンを骨格に含み、４００以上の分子量を有するものが好ましい。また、トリフェニルアミンを骨格に有する芳香族アミン化合物の中でも特にナフチル基のような縮合芳香環を骨格に含むものが好ましい。トリフェニルアミンと縮合芳香環とを骨格に含む芳香族アミン化合物を用いることによって、発光素子の耐熱性が良くなる。芳香族アミン化合物の具体例としては、例えば、４，４’−ビス［Ｎ−（１−ナフチル）−Ｎ−フェニルアミノ］ビフェニル（略称：α−ＮＰＤ）、４，４’−ビス［Ｎ−（３−メチルフェニル）−Ｎ−フェニルアミノ］ビフェニル（略称：ＴＰＤ）、４，４’，４’’−トリス（Ｎ，Ｎ−ジフェニルアミノ）トリフェニルアミン（略称：ＴＤＡＴＡ）、４，４’，４’’−トリス［Ｎ−（３−メチルフェニル）−Ｎ−フェニルアミノ］トリフェニルアミン（略称：ＭＴＤＡＴＡ）、４，４’−ビス［Ｎ−｛４−（Ｎ，Ｎ−ジ−ｍ−トリルアミノ）フェニル｝−Ｎ−フェニルアミノ］ビフェニル（略称：ＤＮＴＰＤ）、１，３，５−トリス［Ｎ，Ｎ−ジ（ｍ−トリル）アミノ］ベンゼン（略称：ｍ−ＭＴＤＡＢ）、４，４’，４’’−トリス（Ｎ−カルバゾリル）トリフェニルアミン（略称：ＴＣＴＡ）、２，３−ビス（４−ジフェニルアミノフェニル）キノキサリン（略称：ＴＰＡＱｎ）、２，２’，３，３’−テトラキス（４−ジフェニルアミノフェニル）−６，６’−ビスキノキサリン（略称：Ｄ−ＴｒｉＰｈＡＱｎ）、２，３−ビス｛４−［Ｎ−（１−ナフチル）−Ｎ−フェニルアミノ］フェニル｝−ジベンゾ［ｆ，ｈ］キノキサリン（略称：ＮＰＡＤｉＢｚＱｎ）等が挙げられる。また、芳香族アミン化合物に対して電子受容性を示す物質について特に限定はなく、例えば、モリブデン酸化物、バナジウム酸化物、７，７，８，８−テトラシアノキノジメタン（略称：ＴＣＮＱ）、２，３，５，６−テトラフルオロ−７，７，８，８−テトラシアノキノジメタン（略称：Ｆ４−ＴＣＮＱ）等を用いることができる。
【００１７】
（電子注入層、電子輸送層）
電子輸送性物質について特に限定はなく、例えば、トリス（８−キノリノラト）アルミニウム（略称：Ａｌｑ３）、トリス（４−メチル−８−キノリノラト）アルミニウム（略称：Ａｌｍｑ３）、ビス（１０−ヒドロキシベンゾ［ｈ］−キノリナト）ベリリウム（略称：ＢｅＢｑ２）、ビス（２−メチル−８−キノリノラト）−４−フェニルフェノラト−アルミニウム（略称：ＢＡｌｑ）、ビス［２−（２−ヒドロキシフェニル）ベンゾオキサゾラト］亜鉛（略称：Ｚｎ（ＢＯＸ）２）、ビス［２−（２−ヒドロキシフェニル）ベンゾチアゾラト］亜鉛（略称：Ｚｎ（ＢＴＺ）２）等の金属錯体の他、２−（４−ビフェニリル）−５−（４−ｔｅｒｔ−ブチルフェニル）−１，３，４−オキサジアゾール（略称：ＰＢＤ）、１，３−ビス［５−（ｐ−ｔｅｒｔ−ブチルフェニル）−１，３，４−オキサジアゾール−２−イル］ベンゼン（略称：ＯＸＤ−７）、３−（４−ｔｅｒｔ−ブチルフェニル）−４−フェニル−５−（４−ビフェニリル）−１，２，４−トリアゾール（略称：ＴＡＺ）、３−（４−ｔｅｒｔ−ブチルフェニル）−４−（４−エチルフェニル）−５−（４−ビフェニリル）−１，２，４−トリアゾール（略称：ｐ−ＥｔＴＡＺ）、バソフェナントロリン（略称：ＢＰｈｅｎ）、バソキュプロイン（略称：ＢＣＰ）等を用いることができる。また、電子輸送性物質に対して電子供与性を示す物質について特に限定はなく、例えば、リチウム、セシウム等のアルカリ金属、マグネシウム、カルシウム等のアルカリ土類金属、エルビウム、イッテルビウム等の希土類金属等を用いることができる。また、リチウム酸化物（Ｌｉ２Ｏ）、カルシウム酸化物（ＣａＯ）、ナトリウム酸化物（Ｎａ２Ｏ）、カリウム酸化物（Ｋ２Ｏ）、マグネシウム酸化物（ＭｇＯ）等、アルカリ金属酸化物およびアルカリ土類金属酸化物の中から選ばれた物質を、電子輸送性物質に対して電子供与性を示す物質として用いても構わない。
【００１８】
（発光層）
例えば、赤色系の発光を得たいときには、４−ジシアノメチレン−２−イソプロピル−６−［２−（１，１，７，７−テトラメチルジュロリジン−９−イル）エテニル］−４Ｈ−ピラン（略称：ＤＣＪＴＩ）、４−ジシアノメチレン−２−メチル−６−［２−（１，１，７，７−テトラメチルジュロリジン−９−イル）エテニル］−４Ｈ−ピラン（略称：ＤＣＪＴ）、４−ジシアノメチレン−２−ｔｅｒｔ−ブチル−６−［２−（１，１，７，７−テトラメチルジュロリジン−９−イル）エテニル］−４Ｈ−ピラン（略称：ＤＣＪＴＢ）やペリフランテン、２，５−ジシアノ−１，４−ビス［２−（１０−メトキシ−１，１，７，７−テトラメチルジュロリジン−９−イル）エテニル］ベンゼン等、６００ｎｍから６８０ｎｍに発光スペクトルのピークを有する発光を呈する物質を用いることができる。また緑色系の発光を得たいときは、Ｎ，Ｎ’−ジメチルキナクリドン（略称：ＤＭＱｄ）、クマリン６やクマリン５４５Ｔ、トリス（８−キノリノラト）アルミニウム（略称：Ａｌｑ３）等、５００ｎｍから５５０ｎｍに発光スペクトルのピークを有する発光を呈する物質を用いることができる。また、青色系の発光を得たいときは、９，１０−ビス（２−ナフチル）−ｔｅｒｔ−ブチルアントラセン（略称：ｔ−ＢｕＤＮＡ）、９，９’−ビアントリル、９，１０−ジフェニルアントラセン（略称：ＤＰＡ）、９，１０−ビス（２−ナフチル）アントラセン（略称：ＤＮＡ）、ビス（２−メチル−８−キノリノラト）−４−フェニルフェノラト−ガリウム（略称：ＢＧａｑ）、ビス（２−メチル−８−キノリノラト）−４−フェニルフェノラト−アルミニウム（略称：ＢＡｌｑ）等、４２０ｎｍから５００ｎｍに発光スペクトルのピークを有する発光を呈する物質を用いることができる。以上のように、蛍光を発光する物質の他、ビス［２−（３，５−ビス（トリフルオロメチル）フェニル）ピリジナト−Ｎ，Ｃ２’］イリジウム（ＩＩＩ）ピコリナート（略称：Ｉｒ（ＣＦ３ｐｐｙ）２（ｐｉｃ））、ビス［２−（４，６−ジフルオロフェニル）ピリジナト−Ｎ，Ｃ２’］イリジウム（ＩＩＩ）アセチルアセトナート（略称：ＦＩｒ（ａｃａｃ））、ビス［２−（４，６−ジフルオロフェニル）ピリジナト−Ｎ，Ｃ２’］イリジウム（ＩＩＩ）ピコリナート（ＦＩｒ（ｐｉｃ））、トリス（２−フェニルピリジナト−Ｎ，Ｃ２’）イリジウム（略称：Ｉｒ（ｐｐｙ）３）等の燐光を発光する物質も発光物質として用いることができる。
【００１９】
上部電極５７は、インジウム錫酸化物（Indium  Tin  Oxide：ＩＴＯ）等の透光性導電材料（透光性導電酸化物）で形成される透光性電極である。なお本実施形態では、透光性導電材料の例としてＩＴＯを挙げたが、これに限定されない。透光性導電材料として、インジウム亜鉛酸化物（Indium  Zinc  Oxide：ＩＺＯ）等の別の組成を有する導電材料を用いてもよい。上部電極５７は、有機発光ダイオードＥ１のカソード（陰極）になる。絶縁層５８は、上述した上部電極５７を封止する封止層であり、シリコン酸化物、シリコン窒化物などを用いることができる。絶縁層５９は、バンクにより生じる段差を抑制する平坦化層であり、シリコン酸化物、シリコン窒化物などを用いることができる。基板５０は、画像表示パネル４０全体を保護する透光性の基板であり、例えば、ガラス基板を用いることができる。なお、図４においては、下部電極５５がアノード（陽極）、上部電極５７がカソード（陰極）の例を示しているが、これに限定されない。下部電極５５がカソード及び上部電極５７がアノードであってもよく、その場合は、下部電極５５に電気的に接続されている駆動用トランジスタＴｒ２の極性を適宜変えることも可能であり、また、キャリア注入層（ホール注入層及び電子注入層）、キャリア輸送層（ホール輸送層及び電子輸送層）、発光層の積層順を適宜変えることも可能である。
【００２０】
画像表示パネル４０は、カラー表示パネルであり、自発光層５６の発光成分のうち、副画素４９と画像観察者との間に、副画素４９の色に応じた色の光を通過させるカラーフィルタ６１が配置されている。画像表示パネル４０は、赤色、緑色、青色、及び白色に対応する色の光を発光することができる。なお、白色に対応する第４副画素４９Ｗと画像観察者との間にカラーフィルタ６１が配置されていないようにしてもよい。また、画像表示パネル４０は、自発光層５６の発光成分がカラーフィルタ６１などの色変換層を介さず、第１副画素４９Ｒ、第２副画素４９Ｇ、第３副画素４９Ｂ、第４副画素４９Ｗの各々の色を発光することもできる。例えば画像表示パネル４０は、第４副画素４９Ｗには、色調整用のカラーフィルタ６１の代わりに透明な樹脂層が備えられていてもよい。このように画像表示パネル４０は、透明な樹脂層を設けることで、第４副画素４９Ｗに大きな段差が生じることを抑制することができる。
【００２１】
図５は、第１実施形態に係る画像表示パネルの副画素の他の配列を示す図である。画像表示パネル４０は、第１副画素４９Ｒ、第２副画素４９Ｇ、第３副画素４９Ｂ及び第４副画素４９Ｗを含む副画素４９を２行２列で組み合わせた画素４８がマトリクス状に配置されている。このように、画像表示パネル４０は、画素４８内の副画素４９の配列を、任意に設定してもよい。
【００２２】
（画像表示パネル駆動部の構成）
画像表示パネル駆動部３０は、画像表示パネル４０の制御装置であって、信号出力回路３１、走査回路３２及び電源回路３３を備えている。信号出力回路３１は、信号線ＤＴＬによって画像表示パネル４０と電気的に接続されている。信号出力回路３１は、入力された画像出力信号を保持し、順次、画像表示パネル４０の各副画素４９に出力する。走査回路３２は、走査線ＳＣＬによって画像表示パネル４０と電気的に接続されている。走査回路３２は、画像表示パネルにおける副画素４９を選択し、副画素４９の動作（発光強度）を制御するためのスイッチング素子（例えば、薄膜トランジスタ（Thin Film Transistor：ＴＦＴ））のオン及びオフを制御する。電源回路３３は、電源線ＰＣＬによって各副画素４９の有機発光ダイオードＥ１へ電力を供給する。
【００２３】
（入力信号出力部の構成）
次に、入力信号出力部１００の構成について説明する。図６は、第１実施形態に係る入力信号出力部の構成を模式的に説明するブロック図である。入力信号出力部１００は、電子機器１に含まれる回路によって以下説明する動作を行うことが可能となっているアプリケーション（ソフトウェア）である。入力信号出力部１００は、制御部２０に通常入力信号Ｄ３又は補正入力信号Ｄ４を出力するものである。図６に示すように、入力信号出力部１００は、画像データ取得部１０２と、モード情報入力部１０３と、処理決定部１０４と、入力信号生成部１０６とを有する。
【００２４】
画像データ取得部１０２は、表示装置１０に表示させる画像のデータである画像データＤ１を取得する。画像データ取得部１０２は、他のアプリケーションが生成した画像のデータを取得するものであるが、画像データＤ１の取得方法は任意である。例えば外部との通信により画像のデータを取得してもよく、また、プログラム動作により画像データＤ１を生成するものであってもよい。画像データＤ１は、通常入力信号Ｄ３を有するデータである。通常入力信号Ｄ３は、画像表示パネル４０の全画素４８に対する入力信号データＤ２を有し、後述する表示制御コードＦを有さない信号である。本実施形態において、通常入力信号Ｄ３は、クロック信号等の他の信号を含むものであってもよいが、本実施形態では、他の信号についての説明は省略する。
【００２５】
図７は、入力信号データ及び通常入力信号を説明するための説明図である。入力信号データＤ２は、複数ビット数のデータであり、１つの画素４８に対する入力信号値の情報を有するデータである。入力信号データＤ２は、図７に示すように、対応する画素４８中の第１副画素４９Ｒへの入力信号値の情報を示す第１入力信号データ（Ｒ１、・・・Ｒ７、Ｒ８）と、第２副画素４９Ｇへの入力信号値の情報を示す第２入力信号データ（Ｇ１、・・・Ｇ７、Ｇ８）と、第３副画素４９Ｂへの入力信号値の情報を示す第３入力信号データ（Ｂ１、・・・Ｂ７、Ｂ８）とを有する。第１入力信号データは、ビットデータＲ１からビットデータＲ８の合計８ビットのデータである。第２入力信号データは、ビットデータＧ１からビットデータＧ８の、合計８ビットのデータである。第３入力信号データは、ビットデータＢ１からビットデータＢ８の、合計８ビットのデータである。各ビットデータは、１ビットのデータであり、０又は１の数値情報を有する。ただし、第１入力信号データ、第２入力信号データ、第３入力信号データのビット数は、任意である。
【００２６】
画素入力信号Ｄ３ａは、１つの画素４８に対する入力信号データＤ２を有するデータである。通常入力信号Ｄ３は、画素入力信号Ｄ３ａを、画像表示パネル４０中の全画素４８分集めたデータである。すなわち、行方向でｐ番目、列方向にｑ番目の画素４８（ｐ、ｑ）に対する入力信号データＤ２を有する画素入力信号Ｄ３ａをＤ３ａ（ｐ、ｑ）とすると、通常入力信号Ｄ３は、画素入力信号Ｄ３ａ（１、１）、Ｄ３ａ（２、１）、・・・Ｄ３ａ（ｐ、ｑ）・・・Ｄ３ａ（Ｐ０、Ｑ０）が配列したデータである。
【００２７】
このように、通常入力信号Ｄ３は、１つの画素４８の入力信号データＤ２の情報を有する画素入力信号Ｄ３ａが、１フレーム分（画像表示パネル４０の全画素４８分）集まって構成されたデータである。
【００２８】
モード情報入力部１０３は、操作者により、通常モードで処理を実行するか、又は補正モードで処理を実行するかの情報が入力される。すなわち、操作者は、通常モードであるか補正モードであるかを選択して、通常モードで処理を行うか補正モードで処理を行うかをモード情報入力部１０３に入力する。具体的には、操作者は、モードを切り替えたい場合に、モードに切り替える旨の情報を、モード情報入力部１０３に入力する。例えば、通常モードで処理が実行されていた場合において、操作者が補正モードに切り替えたい場合、操作者は、補正モードで処理を実行する旨の情報（モードを切り替える旨の情報）を、モード情報入力部１０３に入力する。詳しくは後述するが、通常モードは、制御部２０に通常入力信号Ｄ３を出力し、制御部２０が、通常入力信号Ｄ３に基づき出力信号を生成するモードである。また、補正モードは、制御部２０に補正入力信号Ｄ４を出力し、制御部２０が、補正入力信号Ｄ４に基づき出力信号を生成するモードである。
【００２９】
処理決定部１０４は、モード情報入力部１０３から、補正モードであるか通常モードであるかの情報を取得する。処理決定部１０４は、補正モードである場合に、画像データＤ１（入力信号データＤ２）を解析して、表示する画像に行うための処理内容を決定し、表示制御データＥを生成する。処理決定部１０４は、第１処理と第２処理との２つの処理内容から、いずれかの処理を選択する。詳しくは後述するが、本実施形態における第１処理は、表示装置１０により、第１副画素４９Ｒ、第２副画素４９Ｇ及び第３副画素４９Ｂへの入力信号値を、第１副画素４９Ｒ、第２副画素４９Ｇ、第３副画素４９Ｂ及び第４副画素４９Ｗへの出力信号値に変換し、かつ、表示画像の輝度を大きくする処理である。本実施形態における第２処理は、第１副画素４９Ｒ、第２副画素４９Ｇ及び第３副画素４９Ｂへの入力信号値を、第１副画素４９Ｒ、第２副画素４９Ｇ、第３副画素４９Ｂ及び第４副画素４９Ｗへの出力信号値に変換するものであるが、表示画像の輝度を大きくしない処理である。なお、処理決定部１０４は、通常モードである場合は、処理内容を決定する上記処理は行わない。
【００３０】
より詳しくは、処理決定部１０４は、画像表示パネル４０の画像表示領域４１を、複数の領域４２に区分する。領域４２は、画像表示領域４１を複数の領域に区分した場合における各領域である。処理決定部１０４は、画像データＤ１が複数の画像のデータを有するものである場合、異なる画像が表示される領域４２同士を、異なる領域４２とする。ここで、複数の画像のデータとは、例えば、互いに異なるアプリケーションから取得した別の画像のデータ同士である。また、複数の画像のデータは、例えば、別のウインドウに表示される画像のデータ同士である。また、複数の画像のデータは、例えば、所定のアプリケーションによって表示される画像と、その背景画像とであってもよい。なお、処理決定部１０４による領域４２の区分方法は、画像データＤ１に基づき所定のアルゴリズムで画像表示領域４１を複数の領域４２に区分するものであれば、異なる画像が表示される領域４２同士を異なる領域４２とするものに限られず、例えば１つの画像を複数の領域４２に区分するものであってもよい。
【００３１】
そして、処理決定部１０４は、所定のアルゴリズムにより、区分した領域４２毎に、適用する処理内容を決定する。処理決定部１０４は、所定のアルゴリズムにより第１処理を行うと判断した画像の領域４２については、第１処理を行うことを決定し、所定のアルゴリズムにより第２処理を行うと判断した画像の領域４２については、第２処理を行うことを決定する。例えば、処理決定部１０４は、操作者によって操作されている画像が表示される領域４２をアクティブウインドウであると判断して所定の処理（ここでは第１処理）を行い、操作者によって操作されてない画像が表示される領域４２をアクティブウインドウでないと判断して他の処理（ここでは第２処理）を行う。この場合、例えば、処理決定部１０４は、複数の画像が重畳した場合に一番上に表示される画像に対応する領域４２を、アクティブウインドウと判断してもよいし、操作者に情報がインプットされている画像に対応する領域４２を、アクティブウインドウと判断してもよい。また、例えば、処理決定部１０４は、所定のアプリケーションによって表示される画像に対応する領域４２については、所定の処理（ここでは第１処理）を行うことを決定し、背景画像に対応する領域４２については、他の処理（ここでは第２処理）を行うことを決定する。
【００３２】
処理決定部１０４が生成する表示制御データＥは、この各領域４２の位置情報（画像表示領域４１内における領域４２の位置）と、処理内容を領域４２毎に指定する情報（領域４２において行われる処理内容を示す情報）である領域処理情報とを含む。表示制御データＥは、複数ビット数のデータである。図８は、表示制御データを説明する図である。表示制御データＥは、図８の領域表示制御データＥ１、Ｅ２で例示されるように、領域表示制御データＥｘを複数有する。領域表示制御データＥ１は、複数の表示制御コードＦ１、・・・ＦＵを有する。以下、各表示制御コードを区別しない場合は、表示制御コードＦと記載する。表示制御コードＦは、１ビットのデータであり、０又は１の数値情報を有する。表示制御コードＦ１からＦＳまでは、領域４２の位置情報を示すデータである。また、表示制御コードＦＳ＋１からＦＴまでは、表示制御コードＦ１からＦＳが指定した領域４２の処理内容を示すデータである。領域表示制御データＥ２は、複数の表示制御コードＦＴ＋１、・・・ＦＵを有し、領域表示制御データＥ１とは異なる領域４２の位置情報及び領域処理情報を有する複数の表示制御コードＦから構成される。すなわち、領域表示制御データＥｘは、１つの領域４２の処理内容を示すデータであるということができる。表示制御データＥは、異なる処理を行う領域４２の数に対応する数の領域表示制御データＥｘを有する。
【００３３】
このように、表示制御データＥは、位置情報及び領域処理情報を有する領域表示制御データＥｘが、対応する領域４２毎に配列しているデータであるが、異なる処理を行う領域４２毎の位置情報及び領域処理情報を有するものであれば、データの配列順は任意である。また、表示制御データＥは、複数の表示制御コードＦを有する複数ビット数のデータであるが、ビット数（表示制御コードＦの数）は任意である。
【００３４】
入力信号生成部１０６は、補正モードである場合、画像データＤ１中の通常入力信号Ｄ３と、表示制御データＥ中の表示制御コードＦとに基づき、補正入力信号Ｄ４を生成する。入力信号生成部１０６は、通常モードである場合、画像データＤ１中の通常入力信号Ｄ３を、そのまま制御部２０に出力するための入力信号とする。
【００３５】
具体的には、入力信号生成部１０６は、補正モードである場合、通常入力信号Ｄ３中の一部のデータ、すなわち全画素４８中の一部の画素４８の画素入力信号Ｄ３ａを、制御入力信号Ｄ５ａに変換することにより、補正入力信号Ｄ４を生成する。図９及び図１０は、補正入力信号の生成を説明するための説明図である。図９に示すように、画像表示パネル４０中の全画素４８中の１行目の各画素４８からなる画素群（画素４８（１、１）、４８（２、１）・・・４８（Ｐ０、１））を、画素群４７とする。入力信号生成部１０６は、図１０に示すように、画素群４７の各画素４８の画素入力信号Ｄ３ａ（画素入力信号Ｄ３ａ（１、１）、Ｄ３ａ（２、１）・・・Ｄ３ａ（Ｐ０、１））を、制御入力信号Ｄ５ａ（制御入力信号Ｄ５ａ（１、１）、Ｄ５ａ（２、１）・・・Ｄ５ａ（Ｐ０、１））に変換して、補正入力信号Ｄ４を生成する。補正入力信号Ｄ４は、画素群４７に対応する信号が制御入力信号Ｄ５ａであり、画素群４７以外の画素４８に対応する信号は、画素入力信号Ｄ３ａのままである。
【００３６】
図１１は、制御入力信号を説明するための説明図である。制御入力信号Ｄ５ａは、画素入力信号Ｄ３ａ中の入力信号データＤ２の一部を、表示制御コードＦに変換したものである。具体的には、制御入力信号Ｄ５ａは、図１１に示すように、入力信号データＤ２中の第３入力信号データの最下位ビットのデータであるビットデータＢ８を、表示制御コードＦに変換したものである。
【００３７】
入力信号生成部１０６は、表示制御データＥを表示制御コードＦ毎に分割し、表示制御データＥ中の表示制御コードＦを、画素群４７中の画素４８のそれぞれに１つずつ割り当てる。図１１に示すように、制御入力信号Ｄ５ａは、例えば画素入力信号Ｄ３ａ（１、１）のビットデータＢ８を、表示制御コードＦ１に変換し、画素入力信号Ｄ３ａ（２、１）のビットデータＢ８を、表示制御コードＦ２に変換したものである。
【００３８】
なお、入力信号生成部１０６は、画素群４７として、１行目の各画素４８を選択するが、画素群４７は、全画素４８中の一部の画素４８であれば、１行目の各画素４８であることに限られない。また、制御入力信号Ｄ５ａは、第１入力信号データ、第２入力信号データ、第３入力信号データのうちのすくなくともいずれか一部のデータを、表示制御コードＦに変換したものであれば、入力信号データＤ２中のビットデータＢ８を表示制御コードＦに変換することに限られない。ただし、制御入力信号Ｄ５ａは、最下位ビットのデータ、すなわちビットデータＲ８、Ｇ８、Ｂ８の少なくともいずれかを、表示制御コードＦに変換することが好ましい。また、本実施形態では、１つの画素４８の画素入力信号Ｄ３ａに、１つの表示制御コードＦを割り当てているが、１つの画素４８の画素入力信号Ｄ３ａに複数の表示制御コードＦを割り当ててもよい。この場合、表示制御コードＦに変換する入力信号データＤ２中のビットデータとしては、より下位側のビット（第３入力信号データのデータであればビットデータＢ８）であることが好ましい。また、第１入力信号データ、第２入力信号データ、及び第３入力信号データであれば、輝度の低い色に対応する入力信号データであることが好ましい。すなわち、第３入力信号データ（青色）が最も好ましく、第１入力信号データ（赤色）が次に好ましく、第２入力信号データ（緑色）がその次に好ましい。以上をまとめると、表示制御コードＦに変換する画素入力信号Ｄ３ａ中のビットデータとしては、そのビットデータに対応する階調値において色を表示させた場合の輝度が小さいものから選択することが好ましい。例えば、制御コードＦに変換するビットデータとして、ビットデータＢ８、Ｒ８、Ｇ８、Ｂ７、Ｒ７、・・・の順で選択されることが好ましい。例えば、１つの表示制御コードＦを割り当てる場合は、ビットデータＢ８を表示制御コードＦに置き換え、２つの表示制御コードＦを割り当てる場合は、ビットデータＢ８、Ｒ８を表示制御コードＦに置き換えることが好ましい。また、３つの表示制御コードＦを割り当てる場合は、ビットデータＢ８、Ｒ８、Ｇ８を表示制御コードＦに置き換えることが好ましいが、例えば、ビットデータＢ８、Ｒ８、Ｂ７を表示制御コードＦに置き換えてもよい。ビットデータＢ８、Ｒ８、Ｂ７を表示制御コードＦに置き換える場合は、例えば、ビットデータＧ８に対応する階調値における輝度が、ビットデータＢ７に対応する階調値における輝度よりも大きい場合であってよい。
【００３９】
以上のように、入力信号生成部１０６によって生成された補正入力信号Ｄ４は、画像表示パネル４０中の一部の画素４８に対しての信号が、制御入力信号Ｄ５ａであり、他の一部の画素４８に対しての信号が、その画素４８に対する入力信号データＤ２のみからなる画素入力信号Ｄ３ａである。制御入力信号Ｄ５ａは、複数ビットのデータであり、その一部のデータが、対応する画素に所定の色を表示させるための入力信号データＤ２であり、他の一部のデータが、表示制御コードＦである。
【００４０】
以上説明したように、入力信号出力部１００は、通常モードである場合に、通常入力信号Ｄ３を制御部２０に出力し、補正モードである場合に、補正入力信号Ｄ４を制御部２０に出力する。
【００４１】
（制御部の構成）
次に、制御部２０について説明する。制御部２０は、入力信号出力部１００から通常入力信号Ｄ３、又は補正入力信号Ｄ４を取得して、出力信号を生成する。制御部２０は、生成した出力信号を画像表示パネル駆動部３０に出力する。図１２は、制御部の構成を模式的に示すブロック図である。図１２に示すように、制御部２０は、入力信号取得部としての入力信号取得回路２２と、入力信号データメモリ２３と、処理内容記憶レジスタ２４と、処理決定部としての処理内容決定回路２５と、出力信号生成部としての出力信号生成回路２６とを有する。
【００４２】
入力信号取得回路２２は、入力信号出力部１００中の入力信号生成部１０６から、通常入力信号Ｄ３、又は補正入力信号Ｄ４を取得する。また、入力信号取得回路２２は、モード情報入力部１０３からのモード情報（通常モードであるか補正モードであるかの情報）を、命令コマンドにより、制御部２０の図示しないレジスタに書き込む。入力信号取得回路２２は、レジスタに書き込まれた内容が通常モードを示すものである場合、入力信号出力部１００からの信号が通常入力信号Ｄ３であるとして、通常入力信号Ｄ３を出力信号生成回路２６に出力する。
【００４３】
また、入力信号取得回路２２は、レジスタに書き込まれた内容が補正モードを示すものである場合、入力信号出力部１００からの信号が補正入力信号Ｄ４であるとして、補正入力信号Ｄ４から、入力信号データＤ２を抽出して、入力信号データメモリ２３に出力する。入力信号取得回路２２は、補正入力信号Ｄ４から、制御入力信号Ｄ５ａ中の表示制御コードＦを抽出して、処理内容記憶レジスタ２４に出力する。入力信号取得回路２２は、例えば、制御入力信号Ｄ５ａ中のどのビットデータが表示制御コードＦであるかの情報を、入力信号出力部１００から取得してもよいし、予め制御入力信号Ｄ５ａ中のどのビットデータを抽出するか設定されていてもよい。
【００４４】
入力信号データメモリ２３は、入力信号取得回路２２からの入力信号データＤ２を一時記憶するメモリである。入力信号データメモリ２３は、入力信号データＤ２を一時記憶することにより、以下で説明する処理内容決定回路２５により決定された処理内容のデータと入力信号データＤ２のデータとの、出力信号生成回路２６への出力タイミングを同期させることができる。
【００４５】
処理内容記憶レジスタ２４は、入力信号取得回路２２から表示制御コードＦを取得して記憶するレジスタである。より詳しくは、処理内容記憶レジスタ２４は、画素群４７中の全ての画素４８が有する表示制御コードＦを順番に累積的に記憶することで、複数の表示制御コードＦが有する情報である位置情報及び領域処理情報を記憶する。例えば、処理内容記憶レジスタ２４は、表示制御コードＦ１、Ｆ２・・・の順で表示制御コードを累積的に記憶することで、図８に示すような表示制御データＥを再構築して、表示制御データＥを記憶する。
【００４６】
処理内容決定回路２５は、処理内容記憶レジスタ２４が記憶した位置情報及び領域処理情報（ここでは表示制御データＥ）を読み出して、補正モードにおける処理内容（本実施形態では、第１処理又は第２処理）を決定する。具体的には、処理内容決定回路２５は、処理内容記憶レジスタ２４が記憶した表示制御データＥ中の位置情報を解析して、領域４２の位置、すなわち領域４２に含まれる画素４８の位置の情報（画素４８の座標）を読み出す。また、処理内容決定回路２５は、処理内容記憶レジスタ２４が記憶した表示制御データＥ中の領域処理情報を解析して、その領域４２の画素４８に対して実行する処理の内容を読み出す。例えば、処理内容決定回路２５は、処理内容記憶レジスタ２４が記憶した表示制御コードＦ１から表示制御コードＦｓまでに基づき、領域４２に含まれる画素４８の位置情報を読み出す。また、処理内容決定回路２５は、処理内容記憶レジスタ２４が記憶した表示制御コードＦｓ＋１から表示制御コードＦＴまでに基づき、その領域４２の画素４８に対して実行する処理内容を読み出す。
【００４７】
処理内容決定回路２５は、これら読み出した位置情報と領域処理情報とから、処理内容（本実施形態では、第１処理又は第２処理）と、その処理を行う領域４２内の画素４８の位置情報との情報を有する処理情報信号を生成する。
【００４８】
以上説明した入力信号データメモリ２３、処理内容記憶レジスタ２４、及び処理内容決定回路２５は、補正処理を行う場合に上記説明した処理を行うものであり、通常処理を行う場合においては、上記説明した処理を行わない。
【００４９】
出力信号生成回路２６は、演算回路が組み込まれた回路である。出力信号生成回路２６は、補正モードである場合、入力信号データメモリ２３から各画素４８の入力信号データＤ２を取得する。そして、出力信号生成回路２６は、補正モードである場合、処理内容決定回路２５から処理情報信号を取得する。出力信号生成回路２６は、処理情報信号によって指定された画素４８の入力信号データＤ２に、処理情報信号で指定された処理（本実施形態では、第１処理又は第２処理）を行って、その指定された画素４８の出力信号を生成する。出力信号生成回路２６は、同じ領域４２内の画素４８には同じ処理内容を適用して、１フレーム中の全ての画素４８に対して、出力信号を生成する。補正モードにおける出力信号の生成処理については後述する。
【００５０】
また、出力信号生成回路２６は、通常モードである場合、入力信号取得回路２２から入力信号データメモリ２３を介して通常入力信号Ｄ３を取得し、予め定められた所定の処理を行って出力信号を生成する。ただし、出力信号生成回路２６は、通常モードである場合、入力信号取得回路２２から直接通常入力信号Ｄ３を取得してもよい。通常モードにおける出力信号の生成処理については後述する。なお、本実施形態では、この予め定められた所定の処理内容は、処理内容決定回路２５に接続された図示しないレジスタに書き込まれる。処理内容決定回路２５は、通常モードである場合は、このレジスタに書き込まれた所定の処理内容の情報を、出力信号生成回路２６に出力する。
【００５１】
（処理内容の決定）
次に、補正モードにおける制御部２０による処理内容の決定方法について説明する。制御部２０は、入力信号取得回路２２により、補正入力信号Ｄ４から制御入力信号Ｄ５ａ中の表示制御コードＦを抽出して、処理内容記憶レジスタ２４に出力する。処理内容記憶レジスタ２４は、画素群４７中の全ての表示制御コードＦを順番に記憶することで、表示制御コードＦが有する情報である位置情報及び領域処理情報として記憶する。処理内容決定回路２５は、処理内容記憶レジスタ２４が記憶した位置情報に基づき領域４２に含まれる画素４８の位置の情報を読み出し、処理内容記憶レジスタ２４が記憶した領域処理情報に基づき、その領域４２の画素４８に対して実行する処理内容を決定する。処理内容決定回路２５は、これら読み出した情報から、処理内容と、その処理を行う領域４２内の画素４８の位置情報とを示す処理情報信号を生成する。出力信号生成回路２６は、この処理情報信号に基づき処理を実行する。これにより、制御部２０は、画像表示パネル４０中の異なる領域４２で、異なる処理内容を実行することが可能となる。
【００５２】
以下、異なる領域４２での処理の決定方法の一例について説明する。図１３は、異なる領域での処理の決定方法を説明するための説明図である。図１３に示すように、この例では、画像表示パネル４０中の領域４２Ｌに第１処理を行い、領域４２Ｌ以外の領域である領域４２Ｍに第２処理を行う。この例では、図８に示す領域表示制御データＥ１は、表示制御コードＦ１からＦｓが、領域４２Ｌに含まれる画素４８の位置の情報を有し、表示制御コードＦＳ＋１からＦＴが、領域４２Ｌに含まれる画素４８に実行する処理、ここでは第１処理を行う旨の情報を有する。処理内容記憶レジスタ２４は、画素群４７中の各画素４８の制御入力信号Ｄ５ａに含まれた表示制御コードＦ１からＦｓを順番に記憶する。処理内容決定回路２５は、この表示制御コードＦ１からＦｓを解析し、領域４２Ｌに含まれる画素４８の位置の情報を読み出す。また、処理内容記憶レジスタ２４は、画素群４７中の各画素４８の制御入力信号Ｄ５ａに含まれた表示制御コードＦＳ＋１からＦＴを順番に記憶する。処理内容決定回路２５は、この表示制御コードＦＳ＋１からＦＴを解析し、領域４２Ｌに含まれる画素４８に実行する処理内容を第１処理に決定する。
【００５３】
また、この例では、図８に示す領域表示制御データＥ２は、表示制御コードＦＴ＋１からＦＵが、領域４２Ｍに含まれる画素４８の位置の情報と、領域４２Ｍに含まれる画素４８に実行する処理、ここでは第２処理を行う旨の情報を有する。処理内容決定回路２５は、画素群４７中の各画素４８の制御入力信号Ｄ５ａに含まれた表示制御コードＦＴ＋１からＦＵを解析し、領域４２Ｍの各画素４８に実行する処理を第２処理に決定する。これにより、この例では、領域４２Ｌに第１処理を行い、領域４２Ｍに第２処理を行うことができる。
【００５４】
（出力信号の生成処理）
次に、制御部２０による出力信号の生成処理について説明する。制御部２０は、出力信号生成回路２６により、出力信号を生成する。具体的には、出力信号生成回路２６は、補正モードにおいて、処理内容決定回路２５が指定した領域４２中の画素４８について、処理情報信号で指定された処理内容の処理を入力信号データＤ２に対して実行して、出力信号を生成する。出力信号生成回路２６は、同じ領域４２中の画素４８には同じ処理内容を実行しつつ、１フレーム中の全ての画素４８について、出力信号を生成する。また、出力信号生成回路２６は、通常モードである場合、通常入力信号Ｄ３に対して予め定められた所定の処理を実行して、出力信号を生成する。
【００５５】
以下、出力信号生成回路２６による出力信号の生成処理について、具体的に説明する。上述のように、第１実施形態においては、補正モードにおける処理内容は、第１処理又は第２処理のいずれかである。最初に、補正モードにおける第１処理による出力信号の生成について説明する。
【００５６】
（第１処理による出力信号の生成）
以下、第（ｐ、ｑ）番目の画素４８（ｐ，ｑ）における入力信号データＤ２中の第１入力信号データから読み出した画素４８（ｐ，ｑ）の第１副画素４９Ｒへの入力信号値を、入力信号値ｘ１−（ｐ、ｑ）とし、画素４８（ｐ，ｑ）の第２副画素４９Ｇへの入力信号値を、入力信号値ｘ２−（ｐ、ｑ）とし、画素４８（ｐ，ｑ）の第３副画素４９Ｂへの入力信号値を、入力信号値ｘ３−（ｐ、ｑ）とする。出力信号生成回路２６は、入力信号値ｘ１−（ｐ、ｑ）、入力信号値ｘ２−（ｐ、ｑ）及び入力信号値ｘ３−（ｐ、ｑ）に輝度伸長処理を実行することにより、第１副画素４９Ｒ（ｐ，ｑ）の表示階調を決定するための第１副画素の出力信号（信号値Ｘ１−（ｐ、ｑ））、第２副画素４９Ｇ（ｐ，ｑ）の表示階調を決定するための第２副画素の出力信号（信号値Ｘ２−（ｐ、ｑ））、第３副画素４９Ｂ（ｐ，ｑ）の表示階調を決定するための第３副画素の出力信号（信号値Ｘ３−（ｐ、ｑ））、及び、第４副画素４９Ｗ（ｐ，ｑ）の表示階調を決定するための第４副画素の出力信号（信号値Ｘ４−（ｐ、ｑ））を生成し、出力信号として、画像表示パネル駆動部３０に出力する。
【００５７】
ここで、画素群４７中の各画素４８（一行目の各画素４８）は、第３入力信号データのビットデータＢ８が、表示制御コードＦに置換されている。従って、第３入力信号データは、８ビットのデータではなく、ビットデータＢ１からＢ７の７ビットのデータとなっている。出力信号生成回路２６は、置換されたビットデータＢ８の値を所定の値で補完して、８ビットのデータとする。出力信号生成回路２６は、この８ビットのデータに基づき、入力信号値ｘ３−（ｐ、ｑ）を算出する。出力信号生成回路２６は、第３入力信号データの７ビットのデータの値がゼロである場合、すなわちビットデータＢ１からＢ７の値が全て０である場合、ビットデータＢ８の値を０にする。また、出力信号生成回路２６は、第３入力信号データの７ビットのデータの値が１以上である場合、すなわちビットデータＢ１からＢ７の値の少なくともいずれか１つが１である場合、ビットデータＢ８の値を１にする。例えば、ビットデータＢ１が１であり、ビットデータＢ２からＢ７が０である場合、出力信号生成回路２６は、ビットデータＢ８の値を１として、入力信号値ｘ３−（ｐ、ｑ）を１２９とする。以下、出力信号生成回路２６による第１処理について、具体的に説明する。
【００５８】
本実施形態において、第１処理は、第４副画素４９Ｗを点灯させることで、輝度を大きくして画像を表示する処理（輝度伸長処理）である。図１４は、第１実施形態の表示装置で再現可能な再現ＨＳＶ色空間の概念図である。図１５は、再現ＨＳＶ色空間の色相と彩度との関係を示す概念図である。表示装置１０は、画素４８に第４色（白色）を出力する第４副画素４９Ｗを備えることで、図１４に示すように、再現される色空間（第１実施形態では、ＨＳＶ色空間）における明度のダイナミックレンジが広げられている。つまり、図１４に示すように、表示装置１０が再現する拡大色空間は、第１副画素４９Ｒ、第２副画素４９Ｇ及び第３副画素４９Ｂで表示できる円柱形状の色空間の上に、彩度が高くなるほど明度の最大値が低くなる、彩度軸と明度軸とを含む断面における形状が、斜辺が曲線となる略台形形状となる立体が載っている形状となる。第４色（白色）を加えることで拡大された拡大色空間（第１実施形態では、ＨＳＶ色空間）における彩度Ｓを変数とした明度の最大値Ｖmax（Ｓ）が、制御部２０に記憶されている。つまり、出力信号生成回路２６は、図１４に示す拡大色空間の立体形状について、彩度と色相の座標（値）毎に明度の最大値Ｖｍａｘ（Ｓ）の値を記憶している。ここで、入力信号データＤ２は、第１副画素４９Ｒ、第２副画素４９Ｇ及び第３副画素４９Ｂの入力信号値で構成されているため、入力信号データＤ２の色空間は、円柱形状、つまり、拡大色空間の円柱形状部分と同じ形状となる。なお、第１実施形態において、拡大色空間はＨＳＶ色空間であるが、これに限られずＸＹＺ色空間、ＹＵＶ空間その他の座標系でもよい。
【００５９】
最初に、出力信号生成回路２６は、第１処理を行うと決定した領域４２（以下、領域４２Ｌとする）中の各画素４８の入力信号値（入力信号値ｘ１−（ｐ、ｑ）、入力信号値ｘ２−（ｐ、ｑ）及び入力信号値ｘ３−（ｐ、ｑ））に基づき、領域４２Ｌ中の画素４８における彩度Ｓ及び明度Ｖ（Ｓ）を求め、領域４２中の各画素４８について、それぞれ伸長係数αを算出する。伸長係数αは、領域４２Ｌ中の画素４８毎に設定される。
【００６０】
出力信号生成回路２６は、領域４２Ｌ中の各画素４８に対して、彩度Ｓ及び明度Ｖ（Ｓ）を求める。一般に、第（ｐ，ｑ）番目の画素において、円柱のＨＳＶ色空間における入力色の彩度（Saturation）Ｓ（ｐ，ｑ）、明度（Value）Ｖ（Ｓ）（ｐ，ｑ）は、第１副画素の入力信号値ｘ１−（ｐ，ｑ）、第２副画素の入力信号値ｘ２−（ｐ，ｑ）及び第３副画素の入力信号値ｘ３−（ｐ，ｑ）に基づき、次の式（１）及び式（２）より求めることができる。
【００６１】
Ｓ（ｐ，ｑ）＝（Ｍａｘ（ｐ，ｑ）−Ｍｉｎ（ｐ，ｑ））／Ｍａｘ（ｐ，ｑ）・・・（１）
Ｖ（Ｓ）（ｐ，ｑ）＝Ｍａｘ（ｐ，ｑ）・・・（２）
【００６２】
ここで、Ｍａｘ（ｐ，ｑ）は、（ｘ１−（ｐ，ｑ）、ｘ２−（ｐ，ｑ）、ｘ３−（ｐ，ｑ））の３個の副画素４９の入力信号値の最大値であり、Ｍｉｎ（ｐ，ｑ）は、（ｘ１−（ｐ，ｑ）、ｘ２−（ｐ，ｑ）、ｘ３−（ｐ，ｑ））の３個の副画素４９の入力信号値の最小値である。
【００６３】
出力信号生成回路２６は、領域４２Ｌ中の各画素４８について、それぞれ伸長係数αを算出する。伸長係数αは、画素４８毎に設定される。出力信号生成回路２６は、伸長係数αを、入力色の彩度Ｓに応じて値が変化するように算出する。より詳しくは、出力信号生成回路２６は、伸長係数αを、入力色の彩度Ｓが大きくなるに従って小さくなるように算出する。図１６は、第１処理における彩度と伸長係数との関係を示すグラフである。図１６の横軸は、入力色の彩度Ｓであり、縦軸は第１処理における伸長係数αである。出力信号生成回路２６は、図１６の線分α１に示すように、彩度Ｓがゼロである場合に伸長係数αを２とし、彩度Ｓが大きくなるに従って伸長係数αを小さくし、彩度Ｓが１である場合に伸長係数αを１とする。また、図１６の線分α１に示すように、伸長係数αは、彩度が大きくなるに従って、直線的に小さくなる。ただし、出力信号生成回路２６は、線分α１に従って伸長係数αを算出することに限られず、伸長係数αを、入力色の彩度Ｓが大きくなるに従って小さくなるように算出するものであればよい。例えば、出力信号生成回路２６は、図１６の線分α２に示すように、彩度が大きくなるに従って、伸長係数αを二次曲線的に小さくするものであってもよい。また、彩度Ｓがゼロである場合の伸長係数αは、２に限られず、例えば第４副画素４９Ｗの輝度に基づいた設定等により、任意に設定することができる。さらに、出力信号生成回路２６は、伸長係数αを、入力色の彩度によらず一定としてもよい。
【００６４】
次に、出力信号生成回路２６は、第４副画素の出力信号値Ｘ４−（ｐ，ｑ）を、少なくとも第１副画素の入力信号（信号値ｘ１−（ｐ，ｑ））、第２副画素の入力信号（信号値ｘ２−（ｐ，ｑ））及び第３副画素の入力信号（信号値ｘ３−（ｐ，ｑ））に基づいて算出する。より詳しくは、出力信号生成回路２６は、Ｍｉｎ（ｐ，ｑ）と自身の画素４８（ｐ，ｑ）の伸長係数αとの積に基づき第４副画素の出力信号値Ｘ４−（ｐ，ｑ）を求める。具体的には、出力信号生成回路２６は、下記の式（３）に基づいて信号値Ｘ４−（ｐ，ｑ）を求めることができる。式（３）では、Ｍｉｎ（ｐ，ｑ）と伸長係数αとの積をχで除しているが、これに限定するものではない。
【００６５】
Ｘ４−（ｐ，ｑ）＝Ｍｉｎ（ｐ，ｑ）・α／χ・・・（３）
【００６６】
ここで、χは表示装置１０に依存した定数である。白色を表示する第４副画素４９Ｗには、カラーフィルタが配置されていない。第４色を表示する第４副画素４９Ｗは、同じ光源点灯量で照射された場合、第１色を表示する第１副画素４９Ｒ、第２色を表示する第２副画素４９Ｇ、第３色を表示する第３副画素４９Ｂよりも明るい。第１副画素４９Ｒに第１副画素４９Ｒの出力信号の最大信号値に相当する値を有する信号が入力され、第２副画素４９Ｇに第２副画素４９Ｇの出力信号の最大信号値に相当する値を有する信号が入力され、第３副画素４９Ｂに第３副画素４９Ｂの出力信号の最大信号値に相当する値を有する信号が入力されたときの、画素４８又は画素４８の群が備える第１副画素４９Ｒ、第２副画素４９Ｇ及び第３副画素４９Ｂの集合体の輝度をＢＮ１−３とする。また、画素４８又は画素４８の群が備える第４副画素４９Ｗに、第４副画素４９Ｗの出力信号の最大信号値に相当する値を有する信号が入力されたときの第４副画素４９Ｗの輝度をＢＮ４としたときを想定する。すなわち、第１副画素４９Ｒ、第２副画素４９Ｇ及び第３副画素４９Ｂの集合体によって最大輝度の白色が表示され、この白色の輝度がＢＮ１−３で表される。すると、χを表示装置１０に依存した定数としたとき、定数χは、χ＝ＢＮ４／ＢＮ１−３で表される。
【００６７】
具体的には、第１副画素４９Ｒ、第２副画素４９Ｇ及び第３副画素４９Ｂの集合体に、次の表示階調の値を有する入力信号として、信号値ｘ１−（ｐ，ｑ）＝２５５、信号値ｘ２−（ｐ，ｑ）＝２５５、信号値ｘ３−（ｐ，ｑ）＝２５５が入力されたときにおける白色の輝度ＢＮ１−３に対して、第４副画素４９Ｗに表示階調の値２５５を有する入力信号が入力されたと仮定したときの輝度ＢＮ４は、例えば、１．５倍である。すなわち、第１実施形態にあっては、χ＝１．５である。
【００６８】
次に、出力信号生成回路２６は、少なくとも第１副画素の入力信号値ｘ１−（ｐ，ｑ）及び自身の画素４８（ｐ，ｑ）の伸長係数αに基づいて、第１副画素の出力信号（信号値Ｘ１−（ｐ，ｑ））を算出し、少なくとも第２副画素の入力信号値ｘ２−（ｐ，ｑ）及び自身の画素４８（ｐ，ｑ）の伸長係数αに基づいて第２副画素の出力信号（信号値Ｘ２−（ｐ，ｑ））を算出し、少なくとも第３副画素の入力信号値ｘ３−（ｐ，ｑ）及び自身の画素４８（ｐ，ｑ）の伸長係数αに基づいて第３副画素の出力信号（信号値Ｘ３−（ｐ，ｑ））を算出する。
【００６９】
具体的には、出力信号生成回路２６は、第１副画素の入力信号、伸長係数α及び第４副画素の出力信号に基づいて第１副画素の出力信号を算出し、第２副画素の入力信号、伸長係数α及び第４副画素の出力信号に基づいて第２副画素の出力信号を算出し、第３副画素の入力信号、伸長係数α及び第４副画素の出力信号に基づいて第３副画素の出力信号を算出する。
【００７０】
つまり、出力信号生成回路２６は、χを表示装置に依存した定数としたとき、第（ｐ，ｑ）番目の画素（あるいは、第１副画素４９Ｒ、第２副画素４９Ｇ及び第３副画素４９Ｂの組）への第１副画素の出力信号値Ｘ１−（ｐ，ｑ）、第２副画素の出力信号値Ｘ２−（ｐ，ｑ）及び第３副画素の出力信号値Ｘ３−（ｐ，ｑ）を、以下の式（４），（５），（６）から求める。
【００７１】
Ｘ１−（ｐ，ｑ）＝α・ｘ１−（ｐ，ｑ）−χ・Ｘ４−（ｐ，ｑ）・・・（４）
Ｘ２−（ｐ，ｑ）＝α・ｘ２−（ｐ，ｑ）−χ・Ｘ４−（ｐ，ｑ）・・・（５）
Ｘ３−（ｐ，ｑ）＝α・ｘ３−（ｐ，ｑ）−χ・Ｘ４−（ｐ，ｑ）・・・（６）
【００７２】
出力信号生成回路２６は、第１処理を行う場合、以上のように各副画素４９の出力信号を生成する。次に、信号値Ｘ１−（ｐ，ｑ）、Ｘ２−（ｐ，ｑ）、Ｘ３−（ｐ，ｑ）、Ｘ４−（ｐ，ｑ）の求め方（第１処理）のまとめを説明する。次の処理は、（第１副画素４９Ｒ＋第４副画素４９Ｗ）によって表示される第１原色の輝度、（第２副画素４９Ｇ＋第４副画素４９Ｗ）によって表示される第２原色の輝度、（第３副画素４９Ｂ＋第４副画素４９Ｗ）によって表示される第３原色の輝度の比を保つように行われる。しかも、色調を保持（維持）するように行われる。さらには、階調−輝度特性（ガンマ特性、γ特性）を保持（維持）するように行われる。また、いずれかの画素４８又は画素４８の群において、入力信号値のすべてが０である場合又は小さい場合、このような画素４８又は画素４８の群を含めることなく、伸長係数αを求めればよい。
【００７３】
（第１工程）
まず、出力信号生成回路２６は、第１処理を行うと決定した領域４２Ｌ中の各画素４８の入力信号値（入力信号値ｘ１−（ｐ、ｑ）、入力信号値ｘ２−（ｐ、ｑ）及び入力信号値ｘ３−（ｐ、ｑ））に基づき、領域４２Ｌ中の各画素４８における彩度Ｓ及び明度Ｖ（Ｓ）を求め、領域４２Ｌ中の画素４８毎に伸長係数αを算出する。
【００７４】
（第２工程）
次に、出力信号生成回路２６は、第（ｐ，ｑ）番目の画素４８における信号値Ｘ４−（ｐ，ｑ）を、少なくとも、信号値ｘ１−（ｐ，ｑ）、信号値ｘ２−（ｐ，ｑ）及び信号値ｘ３−（ｐ，ｑ）に基づいて求める。第１実施形態にあっては、出力信号生成回路２６は、信号値Ｘ４−（ｐ，ｑ）を、Ｍｉｎ（ｐ，ｑ）、自身の画素４８（ｐ，ｑ）の伸長係数α及び定数χに基づいて決定する。より具体的には、出力信号生成回路２６は、上述したとおり、信号値Ｘ４−（ｐ，ｑ）を、上記の式（３）に基づいて求める。出力信号生成回路２６は、第１処理を行うと決定した領域４２Ｌ中の全画素４８において信号値Ｘ４−（ｐ，ｑ）を求める。
【００７５】
（第３工程）
その後、出力信号生成回路２６は、第（ｐ，ｑ）番目の画素４８における信号値Ｘ１−（ｐ，ｑ）を、信号値ｘ１−（ｐ，ｑ）、自身の画素４８（ｐ，ｑ）の伸長係数α及び信号値Ｘ４−（ｐ，ｑ）に基づき求め、第（ｐ，ｑ）番目の画素４８における信号値Ｘ２−（ｐ，ｑ）を、信号値ｘ２−（ｐ，ｑ）、自身の画素４８（ｐ，ｑ）の伸長係数α及び信号値Ｘ４−（ｐ，ｑ）に基づき求め、第（ｐ，ｑ）番目の画素４８における信号値Ｘ３−（ｐ，ｑ）を、信号値ｘ３−（ｐ，ｑ）、自身の画素４８（ｐ，ｑ）の伸長係数α及び信号値Ｘ４−（ｐ，ｑ）に基づき求める。具体的には、出力信号生成回路２６は、第（ｐ，ｑ）番目の画素４８における信号値Ｘ１−（ｐ，ｑ）、信号値Ｘ２−（ｐ，ｑ）及び信号値Ｘ３−（ｐ，ｑ）を、上記の式（４）から（６）に基づいて求める。
【００７６】
出力信号生成回路２６は、第１処理を行う場合、以上の工程で出力信号を生成し、生成した出力信号を、画像表示パネル駆動部３０に出力する。
【００７７】
（第２処理による出力信号の生成）
次に、第２処理による出力信号の生成について説明する。本実施形態における第２処理は、第１副画素４９Ｒ、第２副画素４９Ｇ及び第３副画素４９Ｂへの入力信号値を、第１副画素４９Ｒ、第２副画素４９Ｇ、第３副画素４９Ｂ及び第４副画素４９Ｗへの出力信号値に変換するものであるが、表示画像の輝度を大きくしない処理（Ｗ変換処理）である。
【００７８】
具体的には、第２処理において、出力信号生成回路２６は、第１処理と同様に式（３）に基づき、第４副画素の出力信号値Ｘ４−（ｐ，ｑ）を求める。そして、第２処理において、出力信号生成回路２６は、第１副画素の出力信号値Ｘ１−（ｐ，ｑ）、第２副画素の出力信号値Ｘ２−（ｐ，ｑ）及び第３副画素の出力信号値Ｘ３−（ｐ，ｑ）を、第１処理と同様に式（４）、（５）、（６）に基づき求める。ただし、第２処理においては、表示画像の輝度を大きくしないため、伸長係数αの値は１となる。
【００７９】
以上のように、出力信号生成回路２６は、処理内容決定回路２５が決定した処理内容に基づき、第１処理又は第２処理を実行して、出力信号を生成する。なお、第１実施形態においては、第１処理は、上述のような輝度伸長処理であり、第２処理は、上述のような輝度を伸長させないＷ変換処理であったが、第１処理及び第２処理の処理内容は、これらに限られない。例えば、処理内容は、入力信号値よりも色の濃さをより原色に近づけた信号値を有する出力信号を生成する原色化処理であってもよい。また、処理内容は、入力信号値よりも信号値を低下させた出力信号を生成する輝度低下処理であってもよい。また、処理内容は、入力信号値からコントラストを上げた出力信号を生成するコントラスト向上処理であってもよい。処理内容は、以上例示したものに限られず、入力信号値の値を所定の演算により変換して出力信号値を算出する処理であればよい。また、処理内容は、第１処理又は第２処理の２つであったが、複数の処理内容を含むものであれば、３つ以上の処理内容を有するものであってもよい。なお、表示装置１０は、第４副画素４９Ｗを点灯させる処理内容を有さない場合は、第４副画素４９Ｗを有していなくてもよい。
【００８０】
以上説明したように、表示装置１０は、補正モードである場合、領域４２毎に処理内容を変化させることができる。なお、本実施形態では、この領域４２は、画像表示領域４１を複数に区分したものであったが、領域４２を画像表示領域４１全域として、すなわち領域を区分せずに、画像表示領域４１全体に共通の処理を行ってもよい。
【００８１】
（通常モードにおける出力信号の生成）
次に、通常モードにおける出力信号の生成処理について説明する。通常モードにおいては、出力信号生成回路２６は、１フレーム中の全ての画素４８に対して、予め定められた同一の処理を実行する。本実施形態において、出力信号生成回路２６は、１フレーム中の全ての画素４８に対して、第２処理を実行する。通常モードにおいては、表示制御コードＦを含まない通常入力信号Ｄ３が入力される。従って、制御部２０は、通常モードにおいては、表示制御コードＦに基づき領域毎に処理内容を変化させず、全ての画素４８に、予め定められた所定の処理（ここでは第２処理）を実行する。本実施形態においては、通常モードにおける予め定められた所定の処理内容が第２処理であるため、上述のように、第２処理は、出力信号生成回路２６中のレジスタに記憶されており、出力信号生成回路２６は、この記憶された内容を読み出して所定の処理を行う。従って、補正モードにおいて第２処理を行う場合も、出力信号生成回路２６は、同様にレジスタから記憶された第２処理の処理内容を読み出して処理を行う。なお、通常モードにおける処理は、第２処理でなくても、任意の処理内容であってよい。
【００８２】
以下、制御部２０の処理をフローチャートに基づき説明する。図１７は、第１実施形態における制御部の処理を説明するためのフローチャートである。
【００８３】
図１７に示すように、制御部２０は、モード情報入力部１０３からのモード情報（通常モードであるか補正モードであるかの情報）を、命令コマンドにより制御部２０のレジスタに書き込んで、補正モードであるかを判断する（ステップＳ１０）。補正モードである場合（ステップＳ１０；Ｙｅｓ）、制御部２０は、入力信号取得回路２２により、補正入力信号Ｄ４から表示制御コードＦを抽出し（ステップＳ１２）、処理内容記憶レジスタ２４により、抽出した表示制御コードＦを順番に記憶する（ステップＳ１４）。
【００８４】
そして、制御部２０は、処理内容決定回路２５により、処理内容記憶レジスタ２４が記憶した複数の表示制御コードＦが有する情報である位置情報及び領域処理情報を読み出し、処理情報信号を生成する（ステップＳ１６）。処理情報信号は、処理内容（本実施形態では、第１処理又は第２処理）と、その処理を行う領域４２内の画素４８の位置情報との情報を有する信号である。
【００８５】
処理情報信号を生成した後、制御部２０は、出力信号生成回路２６により、処理情報信号に基づき、各画素４８に対して、領域４２毎に指定された処理（本実施形態では、第１処理又は第２処理）を実行し（ステップＳ１８）、出力信号を生成する。また、補正モードでない場合（ステップＳ１０；Ｎｏ）、すなわち通常モードである場合、制御部２０は、出力信号生成回路２６により、１フレーム中の全画素４８に対し、通常モードにおける所定の処理（ここでは第２処理）を実行し（ステップＳ２０）、出力信号を生成する。ステップＳ１８又はステップＳ２０で出力信号を生成することにより、制御部２０の本処理は終了する。
【００８６】
（補正モードにおける画像の一例）
以下、補正モードにおいて、表示装置１０で領域４２毎に処理内容を変化させた場合の画像の一例について説明する。図１８は、補正モードにおける処理を行った場合の画像の一例を説明する説明図である。図１８は、画像表示パネル４０の画像表示領域４１中の一部の領域である領域４２Ｓ、４２Ｔ、４２Ｕについて、補正モードにおける各処理を行った場合の画像を示している。領域４２Ｓは、所定のアプリケーションによる画像が表示されており、領域４２Ｔは、領域４２Ｓとは異なるアプリケーションによる画像が表示されており、領域４２Ｕは、背景画像である。この例では、入力信号出力部１００の処理決定部１０４は、画像データＤ１に基づき、領域４２Ｓと領域４２Ｔと領域４２Ｕとは互いに別の画像を表示するものであると判断して、領域４２Ｓと領域４２Ｔと領域４２Ｕとを区分する。そして、処理決定部１０４は、領域４２Ｓ及び領域４２Ｔに対応する画像が、アプリケーションで表示される画像であると判断して、領域４２Ｓ及び領域４２Ｔには第１処理を行うと決定し、領域４２Ｕに対応する画像が背景画像であると判断して、領域４２Ｕには第２処理を行うと決定する。入力信号生成部１０６は、この処理決定部１０４の決定に基づき、制御入力信号Ｄ５ａを生成する。
【００８７】
この場合、表示装置１０は、制御入力信号Ｄ５ａ中の表示制御コードＦを読み取ることで、領域４２Ｓ中の画素４８に第１処理を行い、領域４２Ｔ中の画素４８に第１処理を行い、領域４２Ｕ中の画素４８に第２処理を行う。これにより、領域４２Ｓ、４２Ｔには、第１処理を行った画像が表示され、領域４２Ｕには、第２処理を行った画像が表示される。一般的に、第１処理は、拡大色空間を使用しつつ、信号を伸長させているため輝度が上昇するため、画質を向上させることができる。また、第１処理は、他の副画素４９の色よりも色自体の輝度が高い第４副画素４９Ｗを点灯させるため、消費電力を削減することができる。しかし、例えば、背景画像である領域４２Ｕが原色を表示するものである場合、第１処理によって輝度が上昇すると、表示すべき原色から色が薄くなり、第１処理による画質の向上が適切に行うことができないおそれがある。しかし、第１実施形態に係る表示装置１０は、領域毎に処理内容を選択することができる。そのため、例えば領域４２Ｕに第１処理を行っても画質の向上が適切にできない場合、表示装置１０は、領域４２Ｓ、４２Ｔに第１処理を実行して輝度を上昇させて画質を向上させつつ、領域４２Ｕには第２処理を実行することができる。また、領域４２Ｕは第２処理を行うため、領域４２Ｓ、４２Ｔよりも輝度が低くなり、背景画像である領域４２Ｕよりもアプリケーションで使用される画像である領域４２Ｓ、４２Ｔの方が明るくなる。このため、この処理により、アプリケーションで使用される画像がダイナミックに表示され、全体としての画質が向上する。また、領域４２Ｓ、４２Ｔにおいては、第１処理により、適切に消費電力を削減することができる。
【００８８】
また、例えば、処理内容が第１処理及び第２処理以外を含む場合であって、領域４２Ｓが操作者によって操作されるアクティブウインドウであり、領域４２Ｔが操作されていないウインドウである場合、表示装置１０は、領域４２Ｓに第１処理を実行し、領域４２Ｔ及び領域４２Ｕに輝度を低下させる輝度低下処理や第２処理を実行することができる。これにより、アクティブウインドウの画像を明るくして他を相対的に暗くすることにより、操作している画像を鮮明にして、操作者が操作画面を認識しやすいようにすることができる。
【００８９】
なお上述のように、入力信号出力部１００の処理決定部１０４は、画像データＤ１を解析して、各領域４２にどの処理内容を実行させるかを選択する。処理決定部１０４は、例えば、画像データＤ１中の入力信号データＤ２から、領域４２が表示する画像が第１処理に不適切であると判断した場合、その領域４２の画素４８に対しては、第２処理を行うと判断してもよい。第１処理が不適切である場合とは、例えば第１処理を行っても画質の向上が見込めない画像である場合に、第２処理を選択する。第１処理を行えば画質が劣化する領域とは、上述のように原色を表示する領域４２Ｕ等が例示される。
【００９０】
以下、表示制御コードＦを読みとって処理内容を決定する機能を有さない、比較例に係る表示装置１０Ｘについて説明する。表示装置１０Ｘが搭載される比較例に係る電子機器１Ｘは、表示装置１０Ｘに画像を表示させる場合、電子機器１Ｘを作動させるためのＯＳ（Ｏｐｅｒａｔｉｎｇ  Ｓｙｓｔｅｍ）が、画像を表示させるためのアプリケーションである入力信号出力部１００Ｘからの指令に基づき、画像を表示させる指令（画像表示指令）及び処理内容を指示する指令（処理内容指令）を、表示装置１０Ｘに出す。入力信号出力部１００Ｘは、画像のデータに基づきその画像にどの処理内容を実行させるかを判断することが可能である。一方、画像表示指令と処理内容指令とを表示装置１０Ｘに出すタイミングは、入力信号出力部１００Ｘではなく、ＯＳと表示装置１０Ｘとに依存する。従って、比較例においては、どの画像にどの処理を行うかを判断しつつ、画像表示指令と処理内容指令とを表示装置１０Ｘに出すタイミングを同期させることができない。従って、比較例に係る表示装置１０Ｘは、例えば複数の画像に適切な処理を行うことができなくなり、消費電力の削減、又は画質の向上が適切にできないおそれがある。
【００９１】
一方、第１実施形態に係る表示装置１０は、画像表示パネル４０と、画像表示パネル４０に出力信号を出力して画像を表示させる制御部２０と、を有する。制御部２０は、入力信号取得回路２２と、処理内容決定回路２５と、出力信号生成回路２６と、を有する。入力信号取得回路２２は、一部のデータが入力信号データであり他の一部のデータが表示制御コードＦである制御入力信号が含まれる補正入力信号Ｄ４を取得する。処理内容決定回路２５は、表示制御コードＦに基づき、出力信号値を生成するための処理内容を決定する。出力信号生成回路２６は、処理内容決定回路２５が決定した処理内容と、入力信号データとに基づき出力信号を生成する。
【００９２】
表示装置１０は、制御部２０により表示制御コードＦを読み取って、処理内容を決定する。従って、表示装置１０は、自身で処理内容を決定することができるため、どの画像にどの処理を行うかを判断しつつ、画像表示指令と処理内容指令とを出すタイミングを同期させることができる。従って、表示装置１０は、画質の向上を適切に行うことができる。
【００９３】
また、表示装置１０は、入力信号取得回路２２が、通常モードである場合に、入力信号データを有し表示制御コードＦを有さない通常入力信号Ｄ３を取得して、補正モードである場合に、補正入力信号Ｄ４を取得する。そして、通常モードである場合、出力信号生成回路２６は、通常入力信号Ｄ３に基づき出力信号を生成する。また、補正モードである場合、処理内容決定回路２５は、表示制御コードＦに基づき処理内容を決定し、出力信号生成回路２６は、処理内容決定回路２５が決定した処理内容と、入力信号データとに基づき出力信号を生成する。このように、表示装置１０は、通常モードと補正モードとを切り替えることができるため、画質の向上を適切に行うことができる。また、表示装置１０は、通常モードと補正モードとを切り替えることができるため、補正モードでの処理に加えて、入力された信号が表示制御コードＦを有さない通常入力信号Ｄ３である場合にも、適切に通常モードでの処理が可能となる。すなわち、表示装置１０は、例えば入力信号出力部１００が補正モードであるか通常モードであるかを決定する機能を有さず、単に画像データＤ１に基づき通常入力信号Ｄ３を出力する機能を有する場合でも、通常モードで処理を適切に行うことができる。
【００９４】
また、表示装置１０は、処理内容決定回路２５が、表示制御コードＦに基づき、予め設定された複数の処理内容から処理内容を選択する。例えば、本実施形態では、処理内容決定回路２５は、第１処理と第２処理とのうち、いずれかの処理内容を選択する。この表示装置１０は、予め設定された複数の処理内容から処理内容を選択することにより、画像毎に適切な処理内容を選択することができる。従って、表示装置１０は、消費電力の削減、又は画質の向上をより適切に行うことができる。
【００９５】
また、表示装置１０において、画像表示パネル４０中の一部の画素４８に対しての補正入力信号Ｄ４は、制御入力信号Ｄ５ａであり、他の一部の画素４８に対しての補正入力信号Ｄ４は、他の一部の画素４８に対する入力信号データＤ２のみからなる画素入力信号Ｄ３ａである。より詳しくは、表示装置１０において、画素群４７中の各画素４８への補正入力信号Ｄ４は制御入力信号Ｄ５ａであり、画素群４７以外の画素４８への補正入力信号Ｄ４は、画素入力信号Ｄ３ａである。表示装置１０は、一部の画素４８のみについて、入力信号データＤ２の一部のデータを表示制御コードＦに置き換えている。すなわち、表示装置１０は、入力信号データＤ２のデータ数が減少するのを、一部の画素４８のみにしている。従って、表示装置１０は、データ数の減少による画質の低下を、好適に抑制することができる。
【００９６】
また、処理内容決定回路２５は、複数の表示制御コードＦに基づいて、画像表示パネル４０の画像表示領域４１を複数の領域４２に区分した場合の各領域４２の位置情報と、処理内容を領域４２毎に指定する領域処理情報とを抽出する。そして、処理内容決定回路２５は、位置情報と領域処理情報とに基づき、領域４２毎に処理内容を決定する。処理内容決定回路２５は、領域４２毎に処理内容を決定することができる。従って、表示装置１０は、複数の画像を表示する場合においても、各画像に適切な処理を行うことができるため、消費電力の削減、又は画質の向上を適切に行うことができる。
【００９７】
また、制御入力信号Ｄ５ａは、画像表示パネル４０の全画素４８に対する入力信号データＤ２のみからなる通常入力信号Ｄ３の一部の入力信号データＤ２を表示制御コードＦに変換したものである。制御入力信号Ｄ５ａは、通常入力信号Ｄ３の一部の入力信号データＤ２を表示制御コードＦに変換したものであるため、表示装置１０がその表示制御コードＦを確実に読み取ることができる。
【００９８】
また、各画素４８の入力信号データＤ２は、それぞれ第１入力信号データと、第２入力信号データと、第３入力信号データとを有する。そして、制御入力信号Ｄ５ａは、第１入力信号データ、第２入力信号データ、及び第３入力信号データの少なくともいずれかの一部のビット数のデータを、表示制御コードＦに変換したものである。制御入力信号Ｄ５ａは、通常入力信号Ｄ３の一部の入力信号データＤ２を表示制御コードＦに変換したものであるため、表示装置１０がその表示制御コードＦを確実に読み取ることができる。
【００９９】
また、制御入力信号Ｄ５ａは、第１入力信号データの最下位ビットのデータ、第２入力信号データの最下位ビットのデータ、又は第３入力信号データの最下位ビットのデータのうち少なくともいずれかを、表示制御コードＦに変換したものである。最下位ビットのデータは、複数ビットのデータのうち最小桁のデータである。制御入力信号Ｄ５ａは、最下位ビットのデータを変換するため、入力信号データＤ２のデータの減少量が大きくなることを抑制することができる。従って、表示装置１０は、データ数の減少による画質の低下を、より好適に抑制することができる。
【０１００】
また、制御入力信号Ｄ５ａは、第３入力信号データの最下位ビットのデータを、表示制御コードＦに変換したものである。表示装置１０は、第３入力信号データの最下位ビットのデータを変換するため、データ数の減少による画質の低下を、より好適に抑制することができる。また、第３入力信号データが表示させる色である第３色は、青色である。青色は、色自体の輝度が小さいため、データ数が減っても、画質の劣化が認識されにくい。従って、表示装置１０は、データ数の減少による画質の低下を、より好適に抑制することができる。
【０１０１】
（第２実施形態）
次に、第２実施形態について説明する。第２実施形態に係る表示装置１０Ａは、１フレーム中の全画素４８に対する入力信号が表示制御コードＦを有する点で、第１実施形態とは異なる。第２実施形態において第１実施形態と構成が共通する箇所は、説明を省略する。
【０１０２】
図１９は、第２実施形態に係る入力信号出力部の構成を模式的に説明するブロック図である。図１９に示すように、第２実施形態に係る入力信号出力部１００Ａは、処理決定部１０４Ａと、入力信号生成部１０６Ａとを有する。
【０１０３】
処理決定部１０４Ａは、画像データＤ１（入力信号データＤ２）を解析して、第１実施形態と同様の方法で表示する画像に行うための処理内容を決定し、画像表示パネル４０中の全ての画素４８毎に表示制御コードＦＡを生成する。表示制御コードＦＡは、１ビットのデータであり、対応する画素４８の処理内容を指定する画素処理情報を有する。第１実施形態に係る処理決定部１０４は、複数の表示制御コードＦ（表示制御データＥ）が、領域の位置情報と領域処理情報とを構成していたが、第２実施形態においては、１つの表示制御コードＦＡが、１つの画素４８の画素処理情報を有している。本実施形態においては、例えば画素４８に通常処理を行う場合、表示制御コードＦＡを０とし、第１処理を行う場合に、表示制御コードＦＡを１とする。
【０１０４】
入力信号生成部１０６Ａは、画像表示パネル４０中の全画素４８の画素入力信号Ｄ３ａを制御入力信号Ｄ５ａに変換する。すなわち、第２実施形態における補正入力信号Ｄ４Ａは、第１実施形態とは異なり、全てのデータが制御入力信号Ｄ５ａである。制御入力信号Ｄ５ａは、第１実施形態と同様に、第１入力信号データ、第２入力信号データ、第３入力信号データのうちの少なくともいずれか一部のデータを、表示制御コードＦＡに変換したものであり、より詳しくは、入力信号データＤ２中の第３入力信号データの最下位ビットのデータであるビットデータＢ８を、表示制御コードＦＡに変換したものである。
【０１０５】
図２０は、第２実施形態に係る制御部の構成を模式的に示すブロック図である。図２０に示すように、第２実施形態に係る制御部２０Ａは、処理内容決定回路２５Ａと、出力信号生成回路２６Ａと、第１処理レジスタ２７ａと、第２処理レジスタ２７ｂと、を有する。また、制御部２０Ａは、第１実施形態と異なり、入力信号データメモリ２３及び処理内容記憶レジスタ２４を有さない。
【０１０６】
処理内容決定回路２５Ａは、補正モードである場合、入力信号取得回路２２から制御コードＦＡを取得し、画素４８毎に、処理内容を決定する。また、第１処理レジスタ２７ａには、第１処理の処理内容が記憶されており、第２処理レジスタ２７ｂには、第２処理の処理内容が記憶されている。処理内容決定回路２５Ａは、画素４８毎の表示制御コードＦＡ中の画素処理情報を読み出し、画素４８毎に処理内容を決定する。処理内容決定回路２５Ａは、決定した処理内容が記憶されているレジスタ（第１処理レジスタ２７ａ又は第２処理レジスタ２７ｂ）から、処理内容を読み出して出力信号生成回路２６Ａに出力する。例えば、処理内容決定回路２５Ａは、表示制御コードＦＡが１の画素４８に対しては、第１処理レジスタ２７ａから処理内容を読み出す。また、例えば、処理内容決定回路２５Ａは、表示制御コードＦＡが０の画素４８に対しては、第２処理レジスタ２７ｂから処理内容を読み出す。
【０１０７】
出力信号生成回路２６Ａは、入力信号取得回路２２から各画素４８の入力信号データＤ２を取得し、処理内容決定回路２５Ａから、各画素４８に対する処理内容の情報を取得する。出力信号生成回路２６Ａは、取得した処理内容の処理を画素４８毎に行い、出力信号を生成する。なお、通常モードにおいては、処理内容決定回路２５Ａは、処理内容が予め決められている（ここでは第２処理）ので、第２処理レジスタ２７ｂから処理内容を読み出して、出力信号生成回路２６Ａに出力する。通常モードの場合、出力信号生成回路２６Ａは、第２処理を実行して出力信号を生成する。
【０１０８】
第２実施形態においては、全ての画素４８が自身の処理内容を決定する表示制御コードＦＡを有しているため、出力信号生成回路２６Ａは、画素４８毎に異なる処理を行った出力信号を生成することが可能である。また、各画素４８の補正入力信号Ｄ４Ａが表示制御コードＦＡを有しているため、制御部２０Ａは、処理内容のデータと入力信号データＤ２のデータとを同期させるための入力信号データメモリ２３が不要となる。従って、制御部２０Ａは、回路規模が大きくなることを抑制することができる。
【０１０９】
また、表示装置１０Ａの補正モードでの処理内容は、第１処理と第２処理との２つとなる。表示装置１０Ａの処理内容は、第１実施形態と同様、第１処理と第２処理とに限られず、任意の処理であってよい。例えば、表示装置１０Ａの処理内容は、第１処理とコントラスト向上処理とを組み合わせた処理と、輝度伸長を制限しつつ、コントラスト向上を行わない処理との、２つの処理であってもよい。また、表示装置１０Ａは、１つの画素４８の補正入力信号Ｄ４Ａには１つの表示制御コードＦＡのみが割り当てられているため、処理内容は２つであるが、１つの画素４８の補正入力信号Ｄ４Ａに複数の表示制御コードＦＡを割り当てた場合、３つ以上の処理内容を有することも可能である。処理内容を記憶するレジスタの数は、処理内容の数と同じになる。
【０１１０】
以下、各画素４８での処理の決定方法の一例について説明する。図２１は、異なる領域での処理の決定方法を説明するための説明図である。図２１は、第１実施形態の図１３と同様に、画像表示パネル４０中の領域４２ＬＡに第１処理を行い、領域４２ＬＡ以外の領域である領域４２ＭＡに第２処理を行う。処理内容決定回路２５Ａは、各画素４８の表示制御コードＦＡを読み取り、画素４８毎に処理内容を決定する。領域４２ＬＡ中の各画素４８の表示制御コードＦＡの値は１であり、領域４２ＭＡ中の表示制御コードＦＡの値は０である。処理内容決定回路２５Ａは、領域４２ＬＡ中の各画素４８に対して、第１処理レジスタ２７ａから第１処理の処理内容を読み出し、領域４２ＭＡ中の各画素４８に対して、第２処理レジスタ２７ｂから第２処理の処理内容を読み出す。出力信号生成回路２６Ａは、処理内容決定回路２５Ａから処理内容の情報を取得し、領域４２ＬＡ中の各画素４８に対して第１処理を実行して出力信号を生成し、領域４２ＭＡ中の各画素４８に対して第１処理を実行して出力信号を生成する。このように、第２実施形態に係る表示装置１０Ａは、第１実施形態と同様に、異なる領域４２毎に異なる処理を実行することができるため、消費電力の削減、又は画質の向上を適切に行うことができる。
【０１１１】
以上説明したように、第２実施形態に係る表示装置１０Ａにおいて、画像表示パネル４０中の全画素４８に対しての補正入力信号Ｄ４Ａは、制御入力信号Ｄ５ａであり、表示制御コードＦＡは、対応する画素４８の処理内容を指定する画素処理情報を有する。そして、第２実施形態に係る処理内容決定回路２５Ａは、画素処理情報に基づき、画素４８毎に処理内容を割り当てる。従って、第２実施形態に係る表示装置１０Ａは、画素４８毎に異なる処理を実行することができるため、複数の画像を表示する場合においても、各画像に適切な処理を行って、消費電力の削減、又は画質の向上を適切に行うことができる。
【０１１２】
（変形例）
次に、第１実施形態の変形例について説明する。変形例に係る表示装置１０Ｂは、液晶型の表示装置である。変形例に係る表示装置１０Ｂは、その他の点で第１実施形態と同様であるため、説明を省略する。
【０１１３】
図２２は、変形例に係る表示装置の構成の一例を示すブロック図である。図２２に示すように、変形例に係る表示装置１０Ｂは、液晶表示パネルである画像表示パネル４０Ｂと、光源装置制御部７０と、光源装置７１とを有する。表示装置１０Ｂは、制御部２０が表示装置１０Ｂの各部に信号を送り、光源装置制御部７０が、制御部２０からの信号に基づいて光源装置７１の駆動を制御し、光源装置７１が光源装置制御部７０の信号に基づいて画像表示パネル４０Ｂを背面から照明することにより、画像を表示する。
【０１１４】
図２３は、変形例に係る画像表示パネルの概念図である。画像表示パネル４０Ｂは、図２３に示すように、第１色を表示する第１副画素４９ＲＢ、第２色を表示する第２副画素４９ＧＢ、第３色を表示する第３副画素４９ＢＢ、及び、第４色を表示する第４副画素４９ＷＢを含む画素４８Ｂが、２次元のマトリクス状（行列状）に配列されている。
【０１１５】
画素４８Ｂは、対向する２つの電極間に液晶層が設けられている。この２つの電極間に画像出力信号による電圧が印加されると、この２つの電極は、電極間の液晶層内に電界を生じさせる。この電界は、液晶層内の液晶素子をツイストさせて複屈折率を変化させる。表示装置１０Ｂは、光源装置７１から照射される光の光量を、この液晶素子の複屈折率変化により調整して、所定の画像を表示させる。
【０１１６】
光源装置７１は、画像表示パネル４０Ｂの背面に配置され、光源装置制御部７０の制御により画像表示パネル４０Ｂに向けて光を照射することで、画像表示パネル４０Ｂを照明して、画像を表示させる。光源装置７１は、画像表示パネル４０Ｂに光を照射する。例えば、光源装置７１は、複数の光源によって構成され、複数の光源を別々に駆動させることができる分割光源であってもよい。
【０１１７】
光源装置制御部７０は、光源装置７１から出力する光の光量等を制御する。具体的には、光源装置制御部７０は、制御部２０から出力される光源装置制御信号ＳＢＬに基づいて、光源装置７１に供給する電圧等をＰＷＭ（Pulse  Width  Modulation）等で調整することで、画像表示パネル４０Ｂを照射する光の光量（光の強度）を制御する。
【０１１８】
なお、当変形例では透過型の表示装置であるが、例えば反射型の表示装置であってもよい。
【０１１９】
（適用例）
次に、図２４及び図２５を参照して、第１実施形態で説明した表示装置１０の適用例について説明する。図２４及び図２５は、第１実施形態に係る表示装置を適用する電子機器の一例を示す図である。第１実施形態に係る表示装置１０は、図２４に示すカーナビゲーションシステム、テレビジョン装置、デジタルカメラ、ノート型パーソナルコンピュータ、図２５に示す携帯電話等の携帯端末装置あるいはビデオカメラなどのあらゆる分野の電子機器に適用することが可能である。言い換えると、第１実施形態に係る表示装置１０は、外部から入力された映像信号あるいは内部で生成した映像信号を、画像あるいは映像として表示するあらゆる分野の電子機器に適用することが可能である。電子機器１は、表示装置に映像信号を供給し、表示装置の動作を制御する入力信号出力部１００（図１参照）を備える。なお、本適用例は、第１実施形態に係る表示装置１０以外でも、以上説明した他の実施形態、変形例に係る表示装置にも適用できる。
【０１２０】
図２４に示す電子機器は、第１実施形態に係る表示装置１０が適用されるカーナビゲーション装置である。表示装置１０は、自動車の車内のダッシュボード３００に設置される。具体的にはダッシュボード３００の運転席３１１と助手席３１２の間に設置される。カーナビゲーション装置の表示装置１０は、ナビゲーション表示、音楽操作画面の表示、又は、映画再生表示等に利用される。
【０１２１】
図２５に示す電子機器は、第１実施形態に係る表示装置１０が適用される携帯型コンピュータ、多機能な携帯電話、音声通話可能な携帯コンピュータまたは通信可能な携帯コンピュータとして動作し、いわゆるスマートフォン、タブレット端末と呼ばれることもある、情報携帯端末である。この情報携帯端末は、例えば筐体５６２の表面に表示部５６１を有している。この表示部５６１は、第１実施形態に係る表示装置１０と外部近接物体を検出可能なタッチ検出（いわゆるタッチパネル）機能とを備えている。 
【０１２２】
以上、本発明の実施形態を説明したが、これらの実施形態の内容によりこれらの実施形態が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換又は変更を行うことができる。
【符号の説明】
【０１２３】
１０  表示装置
２０  制御部
２２  入力信号取得回路
２３  入力信号データメモリ
２４  処理内容記憶レジスタ
２５  処理内容決定回路
２６  出力信号生成回路
３０  画像表示パネル駆動部
４０  画像表示パネル
４２  領域
４７  画素群
４８  画素
４９Ｒ  第１副画素
４９Ｇ  第２副画素
４９Ｂ  第３副画素
４９Ｗ  第４副画素
Ｄ１  画像データ
Ｄ２  入力信号データ
Ｄ３  通常入力信号
Ｄ３ａ  画素入力信号
Ｄ４  補正入力信号
Ｄ５ａ  制御入力信号
Ｅ  表示制御データ
Ｆ  表示制御コード
【図１】
2017044970.tif 000003
【図２】
2017044970.tif 000004
【図３】
2017044970.tif 000005
【図４】
2017044970.tif 000006
【図５】
2017044970.tif 000007
【図６】
2017044970.tif 000008
【図７】
2017044970.tif 000009
【図８】
2017044970.tif 000010
【図９】
2017044970.tif 000011
【図１０】
2017044970.tif 000012
【図１１】
2017044970.tif 000013
【図１２】
2017044970.tif 000014
【図１３】
2017044970.tif 000015
【図１４】
2017044970.tif 000016
【図１５】
2017044970.tif 000017
【図１６】
2017044970.tif 000018
【図１７】
2017044970.tif 000019
【図１８】
2017044970.tif 000020
【図１９】
2017044970.tif 000021
【図２０】
2017044970.tif 000022
【図２１】
2017044970.tif 000023
【図２２】
2017044970.tif 000024
【図２３】
2017044970.tif 000025
【図２４】
2017044970.tif 000026
【図２５】
2017044970.tif 000027